(57)【要約】  本技術は、Sign Data Hiding処理を適切に行うことができるようにする符号化装置および符号化方法、復号装置および復号方法に関する。直交変換部は、符号化対象の画像と予測画像の差分を直交変換し、直交変換係数を生成する。符号ハイディング符号化部は、直交変換部により生成される直交変換係数のうちの非０直交変換係数の絶対値の和に基づいて、直交変換係数に対して、先頭の非０直交変換係数の符号を削除し、非０直交変換係数の絶対値の和のパリティが符号に対応するパリティとなるように、非０直交変換係数を補正するSign Data Hiding処理を行う。本技術は、例えば、符号化装置に適用することができる。
2014002896.tif 000002
【特許請求の範囲】
【請求項１】
符号化対象の画像と予測画像の差分を直交変換し、直交変換係数を生成する直交変換部と、
前記直交変換部により生成される前記直交変換係数のうちの非０直交変換係数の絶対値の和に基づいて、前記直交変換係数に対して、先頭の前記非０直交変換係数の符号を削除し、前記非０直交変換係数の絶対値の和のパリティが前記符号に対応するパリティとなるように、前記非０直交変換係数を補正するSign Data Hiding処理を行う係数操作部と
を備える符号化装置。
【請求項２】
前記係数操作部により前記Sign Data Hiding処理が行われた前記直交変換係数に対して、量子化パラメータを用いて量子化を行う量子化部と、
前記係数操作部において用いられる閾値を、前記量子化パラメータに基づいて設定する設定部と
をさらに備え、
前記係数操作部は、前記非０直交変換係数の絶対値の和が、前記設定部により設定された前記閾値より大きい場合、前記Sign Data Hiding処理を行う
請求項１に記載の符号化装置。
【請求項３】
各量子化パラメータに対応する前記閾値を伝送する伝送部
をさらに備える
請求項２に記載の符号化装置。
【請求項４】
前記係数操作部は、前記予測画像の予測モードに基づいて、前記Sign Data Hiding処理を行う
請求項１に記載の符号化装置。
【請求項５】
前記係数操作部は、前記予測画像の予測モードがインター予測モードである場合、前記Sign Data Hiding処理を行う
請求項４に記載の符号化装置。
【請求項６】
前記予測画像の予測モードがインター予測モードである場合、前記係数操作部が前記非０直交変換係数の絶対値の和に基づいて前記Sign Data Hiding処理を行うかを表すインター適用情報と、前記予測画像の予測モードがイントラ予測モードである場合、前記係数操作部が前記非０直交変換係数の絶対値の和に基づいて前記Sign Data Hiding処理を行うかを表すイントラ適用情報とを伝送する伝送部
をさらに備える
請求項４に記載の符号化装置。
【請求項７】
前記直交変換部は、前記差分を直交変換して前記直交変換係数を生成するか、または、前記差分を直交変換せずにそのまま出力し、
前記係数操作部は、前記直交変換部により前記差分が直交変換された場合、前記非０直交変換係数の絶対値の和に基づいて、前記直交変換係数に対して前記Sign Data Hiding処理を行う
請求項１に記載の符号化装置。
【請求項８】
前記係数操作部が前記非０直交変換係数の絶対値の和に基づいて前記Sign Data Hiding処理を行うかを表す適用情報を伝送する伝送部
をさらに備える
請求項１に記載の符号化装置。
【請求項９】
前記係数操作部は、前記直交変換時のスキャン単位で前記非０直交変換係数の絶対値の和に基づいて前記Sign Data Hiding処理を行う
請求項１に記載の符号化装置。
【請求項１０】
符号化装置が、
符号化対象の画像と予測画像の差分を直交変換し、直交変換係数を生成する直交変換ステップと、
前記直交変換ステップの処理により生成される前記直交変換係数のうちの非０直交変換係数の絶対値の和に基づいて、前記直交変換係数に対して、先頭の前記非０直交変換係数の符号を削除し、前記非０直交変換係数の絶対値の和のパリティが前記符号に対応するパリティとなるように、前記非０直交変換係数を補正するSign Data Hiding処理を行う係数操作ステップと
を含む符号化方法。
【請求項１１】
復号対象の画像と予測画像の差分の直交変換係数のうちの非０直交変換係数の絶対値の和に基づいて、前記直交変換係数に対して、前記非０直交変換係数の絶対値の和のパリティに対応する符号を、先頭の前記非０直交変換係数の符号として付加する付加処理を行う符号復号化部と、
前記符号復号化部により前記付加処理が行われた前記直交変換係数を逆直交変換する逆直交変換部と
を備える復号装置。
【請求項１２】
量子化パラメータを用いて量子化された前記直交変換係数に対して、前記量子化パラメータを用いて逆量子化を行う逆量子化部と、
前記符号復号化部において用いられる閾値を、前記量子化パラメータに基づいて設定する設定部と
をさらに備え、
前記符号復号化部は、前記逆量子化部により逆量子化された前記直交変換係数のうちの前記非０直交変換係数の絶対値の和が、前記設定部により設定された前記閾値より大きい場合、前記付加処理を行う
請求項１１に記載の復号装置。
【請求項１３】
各量子化パラメータに対応する前記閾値を受け取る受け取り部
をさらに備え、
前記設定部は、前記受け取り部により受け取られた前記閾値のうちの、前記逆量子化部により用いられた前記量子化パラメータに対応する閾値を設定する
請求項１２に記載の復号装置。
【請求項１４】
前記符号復号化部は、前記予測画像の予測モードに基づいて、前記付加処理を行う
請求項１１に記載の復号装置。
【請求項１５】
前記符号復号化部は、前記予測画像の予測モードがインター予測モードである場合、前記付加処理を行う
請求項１４に記載の復号装置。
【請求項１６】
前記予測画像の予測モードがインター予測モードである場合、前記非０直交変換係数の絶対値の和に基づいて前記付加処理を行うかを表すインター適用情報と、前記予測画像の予測モードがイントラ予測モードである場合、前記非０直交変換係数の絶対値の和に基づいて前記付加処理を行うかを表すイントラ適用情報とを受け取る受け取り部と、
前記符号復号化部は、前記インター適用情報と前記イントラ適用情報に基づいて前記付加処理を行う
請求項１４に記載の復号装置。
【請求項１７】
前記直交変換係数または前記差分を受け取る受け取り部
をさらに備え、
前記符号復号化部は、前記受け取り部により前記直交変換係数が受け取られた場合、前記非０直交変換係数の絶対値の和に基づいて、前記直交変換係数に対して前記付加処理を行う
請求項１１に記載の復号装置。
【請求項１８】
前記非０直交変換係数の絶対値の和に基づいて前記付加処理を行うかを表す適用情報を受け取る受け取り部
をさらに備え、
前記符号復号化部は、前記受け取り部により受け取られた前記適用情報に基づいて、前記付加処理を行う
請求項１１に記載の復号装置。
【請求項１９】
前記符号復号化部は、前記直交変換時のスキャン単位で前記非０直交変換係数の絶対値の和に基づいて前記付加処理を行う
請求項１１に記載の復号装置。
【請求項２０】
復号装置が、
復号対象の画像と予測画像の差分の直交変換係数のうちの非０直交変換係数の絶対値の和に基づいて、前記直交変換係数に対して、前記非０直交変換係数の絶対値の和のパリティに対応する符号を、先頭の前記非０直交変換係数の符号として付加する付加処理を行う符号復号化ステップと、
前記符号復号化ステップの処理により前記付加処理が行われた前記直交変換係数を逆直交変換する逆直交変換ステップと
を含む復号方法。
【発明の詳細な説明】
【技術分野】
【０００１】
本技術は、符号化装置および符号化方法、復号装置および復号方法に関し、特に、Sign Data Hiding処理を適切に行うことができるようにした符号化装置および符号化方法、復号装置および復号方法に関する。
【背景技術】
【０００２】
近年、画像情報をデジタルとして取り扱い、その際、効率の高い情報の伝送、蓄積を目的とし、画像情報特有の冗長性を利用して、離散コサイン変換等の直交変換と動き補償により圧縮するMPEG（Moving Picture Experts Group phase）などの方式に準拠した装置が、放送局などの情報配信、および一般家庭における情報受信の双方において普及しつつある。【０００３】
特に、MPEG2（ISO/IEC 13818-2）方式は、汎用画像符号化方式として定義されており、飛び越し走査画像及び順次走査画像の双方、並びに標準解像度画像及び高精細画像を網羅する標準で、プロフェッショナル用途及びコンシューマー用途の広範なアプリケーションに現在広く用いられている。MPEG2方式を用いることにより、例えば720×480画素を持つ標準解像度の飛び越し走査画像であれば4乃至8Mbps、1920×1088画素を持つ高解像度の飛び越し走査画像であれば18乃至22MBpsの符号量（ビットレート）を割り当てることで、高い圧縮率と良好な画質の実現が可能である。【０００４】
MPEG2は主として放送用に適合する高画質符号化を対象としていたが、MPEG1より低い符号量（ビットレート）、つまりより高い圧縮率の符号化方式には対応していなかった。携帯端末の普及により、今後そのような符号化方式のニーズは高まると思われ、これに対応してMPEG4符号化方式の標準化が行われた。MPEG4の画像符号化方式に関しては、1998年12月にISO/IEC 14496-2として規格が国際標準に承認された。【０００５】
更に、近年、当初テレビ会議用の画像符号化を目的として、H．26L （ITU-T Q6/16 VCEG）という標準の規格化が進んでいる。H．26LはMPEG2やMPEG4といった従来の符号化方式に比べ、その符号化、復号化により多くの演算量が要求されるものの、より高い符号化効率が実現されることが知られている。【０００６】
また、現在、MPEG4の活動の一環として、このH．26Lをベースに、H．26Lではサポートされない機能をも取り入れ、より高い符号化効率を実現する標準化がJoint Model of Enhanced-Compression Video Codingとして行われている。この標準化は、2003年3月にH．264及びMPEG-4 Part10（AVC（Advanced Video Coding））という名の元に国際標準化された。【０００７】
更に、その拡張として、RGBや4:2:2、4:4:4といった、業務用に必要な符号化ツールや、MPEG-2で規定されていた8x8DCTや量子化マトリクスをも含んだFRExt (Fidelity Range Extension)の標準化が2005年2月に完了し、これにより、ＡＶＣは、映画に含まれるフィルムノイズをも良好に表現することが可能な符号化方式となり、Blu-Ray（登録商標） Disc等の幅広いアプリケーションに用いられる運びとなった。【０００８】
しかしながら、昨今、ハイビジョン画像の４倍の、4000×2000画素程度の画像を圧縮したい、或いは、インターネットのような、限られた伝送容量の環境において、ハイビジョン画像を配信したいといった、更なる高圧縮率符号化に対するニーズが高まっている。このため、ITU-T傘下のVCEG(Video Coding Expert Group) において、符号化効率の改善に関する検討が継続され行なわれている。【０００９】
ところで、HEVC（High Efficiency Video Coding）方式においては、残差情報の直交変換係数に対してSign Data Hiding処理が提案されている（例えば、非特許文献１参照）。Sign Data Hiding処理とは、先頭の非０直交変換係数の符号(±)を削除し、非０直交変換係数の絶対値の和のパリティが、先頭の非０直交変換係数の符号に対応するパリティとなるように、非０直交変換係数を補正する処理である。【００１０】
従って、Sign Data Hiding処理後の直交変換係数を逆直交変換する場合には、直交変換係数のうちの先頭の非０直交変換係数の符号が、非０直交変換係数の絶対値の和のパリティにより決定される。具体的には、非０直交変換係数の絶対値の和が偶数である場合、先頭の非直交変換係数の符号がプラスに決定され、非０直交変換係数の絶対値の和が奇数である場合、先頭の非直交変換係数の符号がマイナスに決定される。【００１１】
非特許文献１に記載されているSign Data Hiding処理は、先頭の非０直交変換係数と最後の非０直交変換係数の間に空いているポジションが、予め定められた個数より多い場合に行われる。
【先行技術文献】
【非特許文献】
【００１２】
【非特許文献１】Gardon CLARE,"Sign Data Hiding",JCTVC-G271,2011.11.21-30
【発明の概要】
【発明が解決しようとする課題】
【００１３】
しかしながら、Sign Data Hiding処理を施すことによる量子化誤差が画質に与える影響の大きさは、先頭の非０直交変換係数と最後の非０直交変換係数の間に空いているポジションの個数以外によっても異なる。【００１４】
従って、非特許文献１に記載されているように、先頭の非０直交変換係数と最後の非０直交変換係数の間に空いているポジションの個数に基づいてSign Data Hiding処理が行われる場合、Sign Data Hiding処理による画質劣化が大きい画像に対してもSign Data Hiding処理が行われ、無視できないレベルの画質劣化が発生する可能性がある。【００１５】
本技術は、このような状況に鑑みてなされたものであり、Sign Data Hiding処理を適切に行うことができるようにするものである。
【課題を解決するための手段】
【００１６】
本技術の第１の側面の符号化装置は、符号化対象の画像と予測画像の差分を直交変換し、直交変換係数を生成する直交変換部と、前記直交変換部により生成される前記直交変換係数のうちの非０直交変換係数の絶対値の和に基づいて、前記直交変換係数に対して、先頭の前記非０直交変換係数の符号を削除し、前記非０直交変換係数の絶対値の和のパリティが前記符号に対応するパリティとなるように、前記非０直交変換係数を補正するSign Data Hiding処理を行う係数操作部とを備える符号化装置である。【００１７】
本技術の第１の側面の符号化方法は、本技術の第１の側面の符号化装置に対応する。【００１８】
本技術の第１の側面においては、符号化対象の画像と予測画像の差分が直交変換されて、直交変換係数が生成され、前記直交変換係数のうちの非０直交変換係数の絶対値の和に基づいて、前記直交変換係数に対して、先頭の前記非０直交変換係数の符号を削除し、前記非０直交変換係数の絶対値の和のパリティが前記符号に対応するパリティとなるように、前記非０直交変換係数を補正するSign Data Hiding処理が行われる。【００１９】
本技術の第２の側面の復号装置は、復号対象の画像と予測画像の差分の直交変換係数のうちの非０直交変換係数の絶対値の和に基づいて、前記直交変換係数に対して、前記非０直交変換係数の絶対値の和のパリティに対応する符号を、先頭の前記非０直交変換係数の符号として付加する付加処理を行う符号復号化部と、前記符号復号化部により前記付加処理が行われた前記直交変換係数を逆直交変換する逆直交変換部とを備える復号装置である。【００２０】
本技術の第２の側面の復号方法は、本技術の第２の側面の復号装置に対応する。【００２１】
本技術の第２の側面においては、復号対象の画像と予測画像の差分の直交変換係数のうちの非０直交変換係数の絶対値の和に基づいて、前記直交変換係数に対して、前記非０直交変換係数の絶対値の和のパリティに対応する符号を、先頭の前記非０直交変換係数の符号として付加する付加処理が行われ、前記付加処理が行われた前記直交変換係数が逆直交変換される。【００２２】
なお、第１の側面の符号化装置および第２の側面の復号装置は、コンピュータにプログラムを実行させることにより実現することができる。【００２３】
また、第１の側面の符号化装置および第２の側面の復号装置を実現するために、コンピュータに実行させるプログラムは、伝送媒体を介して伝送することにより、又は、記録媒体に記録して、提供することができる。
【発明の効果】
【００２４】
本技術の第１の側面によれば、Sign Data Hiding処理を適切に行うことができる。【００２５】
また、本技術の第２の側面によれば、Sign Data Hiding処理が適切に行われた符号化ストリームを復号することができる。
【図面の簡単な説明】
【００２６】
【図１】本技術を適用した符号化装置の一実施の形態の構成例を示すブロック図である。
【図２】図１の符号化部の構成例を示すブロック図である。
【図３】図２の符号ハイディング符号化部の構成例を示すブロック図である。
【図４】図２の符号ハイディング復号部の構成例を示すブロック図である。
【図５】CUを説明する図である。
【図６】Coef Groupを定義するシンタックスの例を示す図である。
【図７】Coef Groupを定義するシンタックスの例を示す図である。
【図８】図１の符号化装置の生成処理を説明するフローチャートである。
【図９】図８の符号化処理の詳細を説明するフローチャートである。
【図１０】図８の符号化処理の詳細を説明するフローチャートである。
【図１１】図９の符号ハイディング符号化処理の詳細を説明するフローチャートである。
【図１２】図１０の符号ハイディング復号処理の詳細を説明するフローチャートである。
【図１３】本技術を適用した復号装置の一実施の形態の構成例を示すブロック図である。
【図１４】図１３の復号部の構成例を示すブロック図である。
【図１５】図１３の復号装置による受け取り処理を説明するフローチャートである。
【図１６】図１５の復号処理の詳細を説明するフローチャートである。
【図１７】多視点画像符号化方式の例を示す図である。
【図１８】本技術を適用した多視点画像符号化装置の主な構成例を示す図である。
【図１９】本技術を適用した多視点画像復号装置の主な構成例を示す図である。
【図２０】階層画像符号化方式の例を示す図である。
【図２１】スペーシャルなスケーラブル符号化の例を説明する図である。
【図２２】テンポラルなスケーラブル符号化の例を説明する図である。
【図２３】信号雑音比のスケーラブル符号化の例を説明する図である。
【図２４】本技術を適用した階層画像符号化装置の主な構成例を示す図である。
【図２５】本技術を適用した階層画像復号装置の主な構成例を示す図である。
【図２６】コンピュータのハードウエアの構成例を示すブロック図である。
【図２７】本技術を適用したテレビジョン装置の概略構成例を示す図である。
【図２８】本技術を適用した携帯電話機の概略構成例を示す図である。
【図２９】本技術を適用した記録再生装置の概略構成例を示す図である。
【図３０】本技術を適用した撮像装置の概略構成例を示す図である。
【図３１】スケーラブル符号化利用の一例を示すブロック図である。
【図３２】スケーラブル符号化利用の他の例を示すブロック図である。
【図３３】スケーラブル符号化利用のさらに他の例を示すブロック図である。
【発明を実施するための形態】
【００２７】
＜一実施の形態＞
（符号化装置の一実施の形態の構成例）
図１は、本技術を適用した符号化装置の一実施の形態の構成例を示すブロック図である。
【００２８】
図１の符号化装置１０は、符号化部１１、設定部１２、および伝送部１３により構成され、画像をHEVC方式で符号化する。
【００２９】
具体的には、符号化装置１０の符号化部１１には、フレーム単位の画像が入力信号として入力される。符号化部１１は、入力信号をHEVC方式で符号化し、その結果得られる符号化データを設定部１２に供給する。
【００３０】
設定部１２は、ユーザ入力などに応じて、最適予測モードがイントラ予測モードである場合にSign Data Hiding処理を行うかを表すイントラ適用情報と、最適予測モードがインター予測モードである場合にSign Data Hiding処理を行うかを表すインター適用情報とを含むSPS（Sequence Parameter Set）を設定する。また、設定部１２は、PPS（Picture Parameter Set）などを設定する。
【００３１】
設定部１２は、設定されたSPSおよびPPSと、符号化部１１から供給される符号化データとから、符号化ストリームを生成する。設定部１２は、符号化ストリームを伝送部１３に供給する。
【００３２】
伝送部１３は、設定部１２から供給される符号化ストリームを、後述する復号装置に伝送する。
【００３３】
（符号化部の構成例）
図２は、図１の符号化部１１の構成例を示すブロック図である。
【００３４】
図２の符号化部１１は、A/D変換部３１、画面並べ替えバッファ３２、演算部３３、直交変換部３４、符号ハイディング符号化部３５、量子化部３６、可逆符号化部３７、蓄積バッファ３８、逆量子化部３９、逆直交変換部４０、符号ハイディング復号部４１、加算部４２、デブロックフィルタ４３、適応オフセットフィルタ４４、適応ループフィルタ４５、フレームメモリ４６、スイッチ４７、イントラ予測部４８、動き予測・補償部４９、予測画像選択部５０、およびレート制御部５１により構成される。
【００３５】
具体的には、符号化部１１のA/D変換部３１は、入力信号として入力されたフレーム単位の画像をA/D変換し、画面並べ替えバッファ３２に出力して記憶させる。画面並べ替えバッファ３２は、記憶した表示の順番のフレーム単位の画像を、GOP（Group of Picture）構造に応じて、符号化のための順番に並べ替え、演算部３３、イントラ予測部４８、および動き予測・補償部４９に出力する。
【００３６】
演算部３３は、予測画像選択部５０から供給される予測画像と、画面並べ替えバッファ３２から出力された符号化対象の画像の差分を演算することにより符号化を行う。具体的には、演算部３３は、画面並べ替えバッファ３２から出力された符号化対象の画像から、予測画像選択部５０から供給される予測画像を減算することにより符号化を行う。演算部３３は、その結果得られる画像を、残差情報として直交変換部３４に出力する。なお、予測画像選択部５０から予測画像が供給されない場合、演算部３３は、画面並べ替えバッファ３２から読み出された画像をそのまま残差情報として直交変換部３４に出力する。
【００３７】
直交変換部３４は、演算部３３からの残差情報を直交変換し、直交変換係数を生成する。直交変換部３４は、生成された直交変換係数を符号ハイディング符号化部３５に供給し、これにより符号ハイディング符号化部３５から供給される直交変換係数を量子化部３６に供給する。
【００３８】
符号ハイディング符号化部３５は、量子化部３６からの量子化パラメータ、可逆符号化部３７からの最適予測モードを表す予測モード情報、および直交変換部３４からの直交変換係数に基づいて、その直交変換係数に対してSign Data Hiding処理を行う。符号ハイディング符号化部３５は、Sign Data Hiding処理後の直交変換係数を直交変換部３４に供給する。
【００３９】
量子化部３６は、レート制御部５１から供給される量子化パラメータを符号ハイディング符号化部３５に供給する。また、量子化部３６は、直交変換部３４から供給される直交変換係数に対して、レート制御部５１から供給される量子化パラメータを用いて量子化を行う。量子化部３６は、その結果得られる係数は、可逆符号化部３７に入力される。
【００４０】
可逆符号化部３７は、最適イントラ予測モードを示す情報（以下、イントラ予測モード情報という）をイントラ予測部４８から取得する。また、可逆符号化部３７は、最適インター予測モードを示す情報（以下、インター予測モード情報という）、動きベクトル、参照画像を特定するための情報などを動き予測・補償部４９から取得する。また、可逆符号化部３７は、レート制御部５１から量子化パラメータを取得する。
【００４１】
可逆符号化部３７は、イントラ予測モード情報またはインター予測モード情報を、予測モード情報として符号ハイディング符号化部３５と符号ハイディング復号部４１に供給する。また、可逆符号化部３７は、量子化パラメータを符号ハイディング復号部４１に供給する。
【００４２】
また、可逆符号化部３７は、適応オフセットフィルタ４４から格納フラグ、インデックスまたはオフセット、および種類情報をオフセットフィルタ情報として取得し、適応ループフィルタ４５からフィルタ係数を取得する。
【００４３】
可逆符号化部３７は、量子化部３６から供給される量子化された係数に対して、可変長符号化（例えば、CAVLC（Context-Adaptive Variable Length Coding）など）、算術符号化（例えば、CABAC（Context-Adaptive Binary Arithmetic Coding）など）などの可逆符号化を行う。
【００４４】
また、可逆符号化部３７は、イントラ予測モード情報、または、インター予測モード情報、動きベクトル、参照画像を特定する情報など、量子化パラメータ、オフセットフィルタ情報、およびフィルタ係数を、符号化に関する符号化情報として可逆符号化する。可逆符号化部３７は、可逆符号化された符号化情報と係数を、符号化データとして蓄積バッファ３８に供給し、蓄積させる。なお、可逆符号化された符号化情報は、可逆符号化された係数のヘッダ情報とされてもよい。
【００４５】
蓄積バッファ３８は、可逆符号化部３７から供給される符号化データを、一時的に記憶する。また、蓄積バッファ３８は、記憶している符号化データを、図１の設定部１２に供給する。
【００４６】
また、量子化部３６より出力された、量子化された係数は、逆量子化部３９にも入力される。逆量子化部３９は、量子化部３６により量子化された係数に対して、レート制御部５１から供給される量子化パラメータを用いて逆量子化を行い、その結果得られる直交変換係数を逆直交変換部４０に供給される。
【００４７】
逆直交変換部４０は、逆量子化部３９から供給される直交変換係数を符号ハイディング復号部４１に供給し、これにより符号ハイディング復号部４１から供給される直交変換係数に対して逆直交変換を行う。逆直交変換部４０は、逆直交変換の結果得られる残差情報を加算部４２に供給する。
【００４８】
符号ハイディング復号部４１は、可逆符号化部３７から供給される量子化パラメータおよび予測モード情報、並びに、逆直交変換部４０から供給される直交変換係数に基づいて、その直交変換係数に対して付加処理を行う。付加処理とは、非０直交変換係数の絶対値の和のパリティに対応する符号を、先頭の非０直交変換係数の符号として付加する処理である。符号ハイディング復号部４１は、付加処理後の直交変換係数を逆直交変換部４０に供給する。
【００４９】
加算部４２は、逆直交変換部４０から供給される残差情報と、予測画像選択部５０から供給される予測画像を加算して、局部的に復号された画像を得る。なお、予測画像選択部５０から予測画像が供給されない場合、加算部４２は、逆直交変換部４０から供給される残差情報を局部的に復号された画像とする。加算部４２は、局部的に復号された画像をデブロックフィルタ４３に供給するとともに、フレームメモリ４６に供給して蓄積させる。
【００５０】
デブロックフィルタ４３は、加算部４２から供給される局部的に復号された画像に対して、ブロック歪を除去する適応デブロックフィルタ処理を行い、その結果得られる画像を適応オフセットフィルタ４４に供給する。
【００５１】
適応オフセットフィルタ４４は、デブロックフィルタ４３による適応デブロックフィルタ処理後の画像に対して、主にリンギングを除去する適応オフセットフィルタ(SAO: Sample adaptive offset)処理を行う。
【００５２】
具体的には、適応オフセットフィルタ４４は、最大の符号化単位であるLCU（Largest Coding Unit）ごとに適応オフセットフィルタ処理の種類を決定し、その適応オフセットフィルタ処理で用いられるオフセットを求める。適応オフセットフィルタ４４は、求められたオフセットを用いて、適応デブロックフィルタ処理後の画像に対して、決定された種類の適応オフセットフィルタ処理を行う。そして、適応オフセットフィルタ４４は、適応オフセットフィルタ処理後の画像を適応ループフィルタ４５に供給する。
【００５３】
また、適応オフセットフィルタ４４は、オフセットを格納するバッファを有している。適応オフセットフィルタ４４は、LCUごとに、適応デブロックフィルタ処理に用いられたオフセットが既にバッファに格納されているかどうかを判定する。
【００５４】
適応オフセットフィルタ４４は、適応デブロックフィルタ処理に用いられたオフセットが既にバッファに格納されていると判定した場合、オフセットがバッファに格納されているかを示す格納フラグを、オフセットがバッファに格納されていることを示す値（ここでは１）に設定する。
【００５５】
そして、適応オフセットフィルタ４４は、LCUごとに、１に設定された格納フラグ、バッファにおけるオフセットの格納位置を示すインデックス、および、行われた適応オフセットフィルタ処理の種類を示す種類情報を可逆符号化部３７に供給する。
【００５６】
一方、適応オフセットフィルタ４４は、適応デブロックフィルタ処理に用いられたオフセットがまだバッファに格納されていない場合、そのオフセットを順にバッファに格納する。また、適応オフセットフィルタ４４は、格納フラグを、オフセットがバッファに格納されていないことを示す値（ここでは０）に設定する。そして、適応オフセットフィルタ４４は、LCUごとに、０に設定された格納フラグ、オフセット、および種類情報を可逆符号化部３７に供給する。
【００５７】
適応ループフィルタ４５は、適応オフセットフィルタ４４から供給される適応オフセットフィルタ処理後の画像に対して、例えば、LCUごとに、適応ループフィルタ（ALF:Adaptive Loop Filter)処理を行う。適応ループフィルタ処理としては、例えば、２次元のウィナーフィルタ（Wiener Filter）による処理が用いられる。もちろん、ウィナーフィルタ以外のフィルタが用いられてもよい。
【００５８】
具体的には、適応ループフィルタ４５は、LCUごとに、画面並べ替えバッファ３２から出力される画像である原画像と適応ループフィルタ処理後の画像の残差が最小となるように、適応ループフィルタ処理で用いられるフィルタ係数を算出する。そして、適応ループフィルタ４５は、適応オフセットフィルタ処理後の画像に対して、算出されたフィルタ係数を用いて、LCUごとに適応ループフィルタ処理を行う。
【００５９】
適応ループフィルタ４５は、適応ループフィルタ処理後の画像をフレームメモリ４６に供給する。また、適応ループフィルタ４５は、フィルタ係数を可逆符号化部３７に供給する。
【００６０】
なお、ここでは、適応ループフィルタ処理は、LCUごとに行われるものとするが、適応ループフィルタ処理の処理単位は、LCUに限定されない。但し、適応オフセットフィルタ４４と適応ループフィルタ４５の処理単位を合わせることにより、処理を効率的に行うことができる。
【００６１】
フレームメモリ４６は、適応ループフィルタ４５から供給される画像と、加算部４２から供給される画像を蓄積する。フレームメモリ４６に蓄積された画像は、参照画像としてスイッチ４７を介してイントラ予測部４８または動き予測・補償部４９に出力される。
【００６２】
イントラ予測部４８は、フレームメモリ４６からスイッチ４７を介して読み出された参照画像を用いて、候補となる全てのイントラ予測モードのイントラ予測処理を行う。
【００６３】
また、イントラ予測部４８は、画面並べ替えバッファ３２から読み出された画像と、イントラ予測処理の結果生成される予測画像とに基づいて、候補となる全てのイントラ予測モードに対してコスト関数値（詳細は後述する）を算出する。そして、イントラ予測部４８は、コスト関数値が最小となるイントラ予測モードを、最適イントラ予測モードに決定する。
【００６４】
イントラ予測部４８は、最適イントラ予測モードで生成された予測画像、および、対応するコスト関数値を、予測画像選択部５０に供給する。イントラ予測部４８は、予測画像選択部５０から最適イントラ予測モードで生成された予測画像の選択が通知された場合、イントラ予測モード情報を可逆符号化部３７に供給する。
【００６５】
なお、コスト関数値は、RD(Rate Distortion)コストともいい、例えば、H．264/AVC方式における参照ソフトウエアであるJM(Joint Model)で定められているような、High Complexity モードか、Low Complexity モードのいずれかの手法に基づいて算出される。
【００６６】
具体的には、コスト関数値の算出手法としてHigh Complexity モードが採用される場合、候補となる全ての予測モードに対して、仮に復号までが行われ、次の式（１）で表わされるコスト関数値が各予測モードに対して算出される。
【００６７】
Cost(Mode)=D＋λ・R                                ・・・（１）
【００６８】
Dは、原画像と復号画像の差分（歪）、Rは、直交変換の係数まで含んだ発生符号量、λは、量子化パラメータQPの関数として与えられるラグランジュ乗数である。
【００６９】
一方、コスト関数値の算出手法としてLow Complexity モードが採用される場合、候補となる全ての予測モードに対して、予測画像の生成、および、符号化情報の符号量の算出が行われ、次の式（２）で表わされるコスト関数が各予測モードに対して算出される。
【００７０】
Cost(Mode)=D＋QPtoQuant(QP)・Header_Bit            ・・・（２）
【００７１】
Dは、原画像と予測画像の差分（歪）、Header_Bitは、符号化情報の符号量、QPtoQuantは、量子化パラメータQPの関数として与えられる関数である。
【００７２】
Low Complexity モードにおいては、全ての予測モードに対して、予測画像を生成するだけでよく、復号画像を生成する必要がないため、演算量が少なくて済む。
【００７３】
動き予測・補償部４９は、候補となる全てのインター予測モードの動き予測・補償処理を行う。具体的には、動き予測・補償部４９は、画面並べ替えバッファ３２から供給される画像と、フレームメモリ４６からスイッチ４７を介して読み出される参照画像に基づいて、候補となる全てのインター予測モードの動きベクトルを検出する。そして、動き予測・補償部４９は、その動きベクトルに基づいて参照画像に補償処理を施し、予測画像を生成する。
【００７４】
このとき、動き予測・補償部４９は、画面並べ替えバッファ３２から供給される画像と予測画像とに基づいて、候補となる全てのインター予測モードに対してコスト関数値を算出し、コスト関数値が最小となるインター予測モードを最適インター測モードに決定する。そして、動き予測・補償部４９は、最適インター予測モードのコスト関数値と、対応する予測画像を予測画像選択部５０に供給する。また、動き予測・補償部４９は、予測画像選択部５０から最適インター予測モードで生成された予測画像の選択が通知された場合、インター予測モード情報、対応する動きベクトル、参照画像を特定する情報などを可逆符号化部３７に出力する。
【００７５】
予測画像選択部５０は、イントラ予測部４８および動き予測・補償部４９から供給されるコスト関数値に基づいて、最適イントラ予測モードと最適インター予測モードのうちの、対応するコスト関数値が小さい方を、最適予測モードに決定する。そして、予測画像選択部５０は、最適予測モードの予測画像を、演算部３３および加算部４２に供給する。また、予測画像選択部５０は、最適予測モードの予測画像の選択をイントラ予測部４８または動き予測・補償部４９に通知する。
【００７６】
レート制御部５１は、蓄積バッファ３８に蓄積された符号化データに基づいて、オーバーフローあるいはアンダーフローが発生しないように、量子化部３６で用いられる量子化パラメータを決定する。レート制御部５１は、決定された量子化パラメータを、量子化部３６、可逆符号化部３７、および逆量子化部３９に供給する。
【００７７】
（符号ハイディング符号化部の構成例）
図３は、図２の符号ハイディング符号化部３５の構成例を示すブロック図である。
【００７８】
図３の符号ハイディング符号化部３５は、直交変換係数バッファ７１、絶対値和算出部７２、閾値設定部７３、閾値判定部７４、および係数操作部７５により構成される。
【００７９】
符号ハイディング符号化部３５の直交変換係数バッファ７１は、直交変換部３４から供給される直交変換係数を記憶する。絶対値和算出部７２は、直交変換係数バッファ７１から非０直交変換係数を読み出し、非０直交変換係数の絶対値の和を算出し、その和を閾値判定部７４と係数操作部７５に供給する。
【００８０】
閾値設定部７３は、ユーザ入力などに応じて、イントラ適用情報とインター適用情報を生成する。閾値設定部７３は、可逆符号化部３７から供給される予測モード情報、イントラ適用情報、およびインター適用情報に基づいて、Sign Data Hiding処理を行うかどうかを判定する。閾値設定部７３は、Sign Data Hiding処理を行うと判定した場合、量子化部３６から供給される量子化パラメータに基づいて、量子化パラメータが大きいほど閾値が大きくなるように、閾値を設定する。閾値設定部７３は、設定された閾値を閾値判定部７４に供給する。
【００８１】
閾値判定部７４は、閾値設定部７３から閾値が供給されない場合、Sign Data Hiding処理を行うかどうかを表す制御信号として、Sign Data Hiding処理を行わないことを表す制御信号を生成し、係数操作部７５に供給する。一方、閾値判定部７４は、閾値設定部７３から閾値が供給された場合、絶対値和算出部７２から供給される和と閾値を比較し、比較結果に基づいて制御信号を生成する。閾値判定部７４は、生成された制御信号を係数操作部７５に供給する。
【００８２】
係数操作部７５は、直交変換係数バッファ７１から直交変換係数を読み出す。係数操作部７５は、閾値判定部７４から供給される制御信号がSign Data Hiding処理を行うことを表す場合、読み出された直交変換係数に対してSign Data Hiding処理を行う。
【００８３】
具体的には、係数操作部７５は、絶対値和算出部７２から供給される和に基づいて、非０直交変換係数の絶対値の和のパリティが、先頭の非０直交変換係数の符号に対応するパリティとなるように、読み出された直交変換係数の非０直交変換係数を補正する。補正の方法は、非０直交変換係数のいずれかに±１を加算する方法である。そして、係数操作部７５は、補正後の直交変換係数の先頭の非０直交変換係数の符号を削除し、図２の直交変換部３４に供給する。
【００８４】
一方、閾値判定部７４から供給される制御信号がSign Data Hiding処理を行わないことを表す場合、係数操作部７５は、読み出された直交変換係数をそのまま直交変換部３４に供給する。
【００８５】
（符号ハイディング復号部の構成例）
図４は、図２の符号ハイディング復号部４１の構成例を示すブロック図である。
【００８６】
図４の符号ハイディング復号部４１は、直交変換係数バッファ９１、絶対値和算出部９２、閾値設定部９３、閾値判定部９４、および符号復号化部９５により構成される。
【００８７】
符号ハイディング復号部４１の直交変換係数バッファ９１は、図２の逆直交変換部４０から供給される直交変換係数を記憶する。絶対値和算出部９２は、直交変換係数バッファ９１から非０直交変換係数を読み出し、非０直交変換係数の絶対値の和を算出し、その和を閾値判定部９４と符号復号化部９５に供給する。
【００８８】
閾値設定部９３は、ユーザ入力などに応じて、イントラ適用情報とインター適用情報を生成する。閾値設定部９３は、可逆符号化部３７から供給される予測モード情報、イントラ適用情報、およびインター適用情報に基づいて、Sign Data Hiding処理を行うかどうかを判定する。閾値設定部９３は、Sign Data Hiding処理を行うと判定した場合、可逆符号化部３７から供給される量子化パラメータに基づいて、閾値設定部７３と同様に閾値を設定する。閾値設定部９３は、設定された閾値を閾値判定部９４に供給する。
【００８９】
閾値判定部９４は、閾値設定部９３から閾値が供給されない場合、付加処理を行うかどうかを表す制御信号として、付加処理を行わないことを表す制御信号を符号復号化部９５に供給する。一方、閾値判定部９４は、閾値設定部９３から閾値が供給された場合、絶対値和算出部９２から供給される和と閾値を比較し、比較結果に基づいて制御信号を生成する。閾値判定部９４は、生成された制御信号を符号復号化部９５に供給する。
【００９０】
符号復号化部９５は、直交変換係数バッファ９１から直交変換係数を読み出す。符号復号化部９５は、閾値判定部９４から供給される制御信号が付加処理を行うことを表す場合、読み出された直交変換係数に対して付加処理を行う。具体的には、符号復号化部９５は、絶対値和算出部９２から供給される和のパリティに対応する符号を、先頭の非０直交変換係数の符号として、読み出された直交変換係数の先頭の非０直交変換係数に付加する。そして、符号復号化部９５は、付加処理後の直交変換係数を図２の逆直交変換部４０に供給する。
【００９１】
一方、閾値判定部９４から供給される制御信号が付加処理を行わないことを表す場合、符号復号化部９５は、読み出された直交変換係数をそのまま逆直交変換部４０に供給する。
【００９２】
（符号化処理単位の説明）
図５は、符号化部１１における符号化単位であるCoding UNIT(CU)を説明する図である。
【００９３】
CUは、AVC方式におけるマクロブロックと同様の役割を果たす。具体的には、CUは、イントラ予測またはインター予測の単位であるPrediction Unit(PU)に分割されたり、直交変換の単位であるTransform Unit(TU)に分割されたりする。HEVC方式では、TUのサイズとして、４×４画素や８×８画素だけでなく、１６×１６画素や３２×３２画素を用いることが可能である。
【００９４】
但し、マクロブロックのサイズは16×16画素に固定されているのに対し、CUのサイズは、シーケンスごとに可変の、2のべき乗画素で表される正方形である。
【００９５】
図５の例では、最大のサイズのCUであるLCU(Largest Coding Unit)のサイズが128であり、最小のサイズのCUであるSCU(Smallest Coding Unit)のサイズが8である。従って、Nごとに階層化された2N×2NのサイズのCUの階層深度（depth）は0乃至4となり、階層深度数は5となる。また、2N×2NのサイズのCUは、split_flagの値が1である場合、1つ下の階層である、N×NのサイズのCUに分割される。
【００９６】
CUのサイズを指定する情報は、SPSに含められる。なお、CUの詳細については、HEVC text specification draft 7に記載されている。なお、本明細書において、CTU（Coding Tree Unit）は、LCUのCTB（Coding Tree Block）と、そのLCUベース（レベル）で処理するときのパラメータを含む単位である。また、CTUを構成するCUは、CB(Coding Block)と、そのCUベース（レベル）で処理するときのパラメータを含む単位である。
【００９７】
（Sign Data Hiding処理の単位の説明）
図６と図７は、符号化部１１におけるSign Data Hiding処理の単位であるCoef Groupを定義するシンタックスの例を示す図である。
【００９８】
Coef Groupは、直交変換時のスキャン単位である。
【００９９】
（符号化装置の処理の説明）
図８は、図１の符号化装置１０の生成処理を説明するフローチャートである。
【０１００】
図８のステップＳ１１において、符号化装置１０の符号化部１１は、外部から入力信号として入力されるフレーム単位の画像をHEVC方式で符号化する符号化処理を行う。この符号化処理の詳細は、後述する図９および図１０を参照して説明する。
【０１０１】
ステップＳ１２において、設定部１２は、イントラ適用情報とインター適用情報を含むSPSを設定する。ステップＳ１３において、設定部１２は、PPSを設定する。ステップＳ１４において、設定部１２は、設定されたSPSおよびPPSと、符号化部１１から供給される符号化データとから、符号化ストリームを生成する。設定部１２は、符号化ストリームを伝送部１３に供給する。
【０１０２】
ステップＳ１５において、伝送部１３は、設定部１２から供給される符号化ストリームを、後述する復号装置に伝送し、処理を終了する。
【０１０３】
図９および図１０は、図８のステップＳ１１の符号化処理の詳細を説明するフローチャートである。
【０１０４】
図９のステップＳ３１において、符号化部１１のA/D変換部３１は、入力信号として入力されたフレーム単位の画像をA/D変換し、画面並べ替えバッファ３２に出力して記憶させる。
【０１０５】
ステップＳ３２において、画面並べ替えバッファ３２は、記憶した表示の順番のフレームの画像を、GOP構造に応じて、符号化のための順番に並べ替える。画面並べ替えバッファ３２は、並べ替え後のフレーム単位の画像を、演算部３３、イントラ予測部４８、および動き予測・補償部４９に供給する。
【０１０６】
ステップＳ３３において、イントラ予測部４８は、候補となる全てのイントラ予測モードのイントラ予測処理を行う。また、イントラ予測部４８は、画面並べ替えバッファ３２から読み出された画像と、イントラ予測処理の結果生成される予測画像とに基づいて、候補となる全てのイントラ予測モードに対してコスト関数値を算出する。そして、イントラ予測部４８は、コスト関数値が最小となるイントラ予測モードを、最適イントラ予測モードに決定する。イントラ予測部４８は、最適イントラ予測モードで生成された予測画像、および、対応するコスト関数値を、予測画像選択部５０に供給する。
【０１０７】
また、動き予測・補償部４９は、候補となる全てのインター予測モードの動き予測・補償処理を行う。また、動き予測・補償部４９は、画面並べ替えバッファ３２から供給される画像と予測画像とに基づいて、候補となる全てのインター予測モードに対してコスト関数値を算出し、コスト関数値が最小となるインター予測モードを最適インター測モードに決定する。そして、動き予測・補償部４９は、最適インター予測モードのコスト関数値と、対応する予測画像を予測画像選択部５０に供給する。
【０１０８】
ステップＳ３４において、予測画像選択部５０は、ステップＳ３３の処理によりイントラ予測部４８および動き予測・補償部４９から供給されるコスト関数値に基づいて、最適イントラ予測モードと最適インター予測モードのうちのコスト関数値が最小となる方を、最適予測モードに決定する。そして、予測画像選択部５０は、最適予測モードの予測画像を、演算部３３および加算部４２に供給する。
【０１０９】
ステップＳ３５において、予測画像選択部５０は、最適予測モードが最適インター予測モードであるかどうかを判定する。ステップＳ３５で最適予測モードが最適インター予測モードであると判定された場合、予測画像選択部５０は、最適インター予測モードで生成された予測画像の選択を動き予測・補償部４９に通知する。
【０１１０】
そして、ステップＳ３６において、動き予測・補償部４９は、インター予測モード情報、対応する動きベクトル、および参照画像を特定するための情報を可逆符号化部３７に供給し、処理をステップＳ３８に進める。
【０１１１】
一方、ステップＳ３５で最適予測モードが最適インター予測モードではないと判定された場合、即ち最適予測モードが最適イントラ予測モードである場合、予測画像選択部５０は、最適イントラ予測モードで生成された予測画像の選択をイントラ予測部４８に通知する。そして、ステップＳ３７において、イントラ予測部４８は、イントラ予測モード情報を可逆符号化部３７に供給し、処理をステップＳ３８に進める。
【０１１２】
ステップＳ３８において、演算部３３は、画面並べ替えバッファ３２から供給される画像から、予測画像選択部５０から供給される予測画像を減算することにより符号化を行う。演算部３３は、その結果得られる画像を、残差情報として直交変換部３４に出力する。
【０１１３】
ステップＳ３９において、直交変換部３４は、演算部３３からの残差情報に対して直交変換を施し、その結果得られる直交変換係数を符号ハイディング符号化部３５に供給する。ステップＳ４０において、符号ハイディング符号化部３５は、直交変換部３４から供給される直交変換係数に対してSign Data Hiding処理を行う符号ハイディング符号化処理を行う。この符号ハイディング符号化処理の詳細は、後述する図１１を参照して説明する。
【０１１４】
ステップＳ４１において、量子化部３６は、レート制御部５１から供給される量子化パラメータを用いて直交変換部３４から供給される係数を量子化する。量子化された係数は、可逆符号化部３７と逆量子化部３９に入力される。また、量子化部３６は、量子化パラメータを符号ハイディング符号化部３５に供給する。
【０１１５】
図１０のステップＳ４２において、逆量子化部３９は、レート制御部５１から供給される量子化パラメータを用いて、量子化部３６から供給される量子化された係数を逆量子化し、その結果得られる直交変換係数を逆直交変換部４０に供給する。逆直交変換部４０は、直交変換係数を符号ハイディング復号部４１に供給する。
【０１１６】
ステップＳ４３において、符号ハイディング復号部４１は、逆量子化部３９から供給される直交変換係数に対して付加処理を行う符号ハイディング復号処理を行う。この符号ハイディング復号処理の詳細は、後述する図１２を参照して説明する。
【０１１７】
ステップＳ４４において、逆直交変換部４０は、符号ハイディング復号部４１から供給される直交変換係数に対して逆直交変換を施し、その結果得られる残差情報を加算部４２に供給する。
【０１１８】
ステップＳ４５において、加算部４２は、逆直交変換部４０から供給される残差情報と、予測画像選択部５０から供給される予測画像を加算し、局部的に復号された画像を得る。加算部４２は、得られた画像をデブロックフィルタ４３に供給するとともに、フレームメモリ４６に供給する。
【０１１９】
ステップＳ４６において、デブロックフィルタ４３は、加算部４２から供給される局部的に復号された画像に対して、デブロッキングフィルタ処理を行う。デブロックフィルタ４３は、その結果得られる画像を適応オフセットフィルタ４４に供給する。
【０１２０】
ステップＳ４７において、適応オフセットフィルタ４４は、デブロックフィルタ４３から供給される画像に対して、LCUごとに適応オフセットフィルタ処理を行う。適応オフセットフィルタ４４は、その結果得られる画像を適応ループフィルタ４５に供給する。また、適応オフセットフィルタ４４は、LCUごとに、格納フラグ、インデックスまたはオフセット、および種類情報を、オフセットフィルタ情報として可逆符号化部３７に供給する。
【０１２１】
ステップＳ４８において、適応ループフィルタ４５は、適応オフセットフィルタ４４から供給される画像に対して、LCUごとに適応ループフィルタ処理を行う。適応ループフィルタ４５は、その結果得られる画像をフレームメモリ４６に供給する。また、適応ループフィルタ４５は、適応ループフィルタ処理で用いられたフィルタ係数を可逆符号化部３７に供給する。
【０１２２】
ステップＳ４９において、フレームメモリ４６は、適応ループフィルタ４５から供給される画像と加算部４２から供給される画像を蓄積する。フレームメモリ４６に蓄積された画像は、参照画像としてスイッチ４７を介してイントラ予測部４８または動き予測・補償部４９に出力される。
【０１２３】
ステップＳ５０において、可逆符号化部３７は、イントラ予測モード情報、または、インター予測モード情報、動きベクトル、参照画像を特定する情報など、レート制御部５１からの量子化パラメータ、オフセットフィルタ情報、およびフィルタ係数を、符号化情報として可逆符号化する。
【０１２４】
ステップＳ５１において、可逆符号化部３７は、量子化部３６から供給される量子化された係数を可逆符号化する。そして、可逆符号化部３７は、ステップＳ５０の処理で可逆符号化された符号化情報と可逆符号化された係数から、符号化データを生成する。
【０１２５】
ステップＳ５２において、蓄積バッファ３８は、可逆符号化部３７から供給される符号化データを、一時的に蓄積する。
【０１２６】
ステップＳ５３において、レート制御部５１は、蓄積バッファ３８に蓄積された符号化データに基づいて、オーバーフローあるいはアンダーフローが発生しないように、量子化部３６で用いられる量子化パラメータを決定する。レート制御部５１は、決定された量子化パラメータを、量子化部３６、可逆符号化部３７、および逆量子化部３９に供給する。
【０１２７】
ステップＳ５４において、蓄積バッファ３８は、記憶している符号化データを、図１の設定部１２に出力する。
【０１２８】
なお、図９および図１０の符号化処理では、説明を簡単化するため、常に、イントラ予測処理と動き予測・補償処理が行われるようにしたが、実際には、ピクチャタイプ等によっていずれか一方のみが行われる場合もある。
【０１２９】
図１１は、図９のステップＳ４０の符号ハイディング符号化処理の詳細を説明するフローチャートである。
【０１３０】
図１１のステップＳ７０において、符号ハイディング符号化部３５の直交変換係数バッファ７１（図３）は、直交変換部３４から供給される直交変換係数を記憶する。ステップＳ７１において、閾値設定部７３は、図２の量子化部３６から量子化パラメータを取得する。ステップＳ７２において、閾値設定部７３は、図２の可逆符号化部３７から予測モード情報を取得する。
【０１３１】
ステップＳ７３において、閾値設定部７３は、ユーザ入力などに応じて予め生成されたイントラ適用情報およびインター適用情報、並びに、可逆符号化部３７から供給される予測モード情報に基づいて、Sign Data Hiding処理を行うかどうかを判定する。
【０１３２】
具体的には、予測モード情報がイントラ予測モードを表し、イントラ適用情報がSign Data Hiding処理を行うことを表す場合、閾値設定部７３は、Sign Data Hiding処理を行うと判定する。また、予測モード情報がインター予測モードを表し、インター適用情報がSign Data Hiding処理を行うことを表す場合、閾値設定部７３は、Sign Data Hiding処理を行うと判定する。
【０１３３】
一方、予測モード情報がイントラ予測モードを表し、イントラ適用情報がSign Data Hiding処理を行わないことを表す場合、閾値設定部７３は、Sign Data Hiding処理を行わないと判定する。また、予測モード情報がインター予測モードを表し、インター適用情報がSign Data Hiding処理を行わないことを表す場合、閾値設定部７３は、Sign Data Hiding処理を行わないと判定する。
【０１３４】
ステップＳ７３でSign Data Hiding処理を行うと判定された場合、ステップＳ７４において、閾値設定部７３は、量子化パラメータに基づいて、量子化パラメータが大きいほど閾値が大きくなるように、閾値を設定する。閾値設定部７３は、設定された閾値を閾値判定部７４に供給する。
【０１３５】
ステップＳ７５において、絶対値和算出部７２は、直交変換係数バッファ７１から非０直交変換係数を読み出し、非０直交変換係数の絶対値の和を求め、その和を閾値判定部７４と係数操作部７５に供給する。
【０１３６】
ステップＳ７６において、閾値判定部７４は、絶対値和算出部７２から供給される和が閾値より大きいかどうかを判定する。ステップＳ７６で和が閾値より大きいと判定された場合、ステップＳ７７において、閾値判定部７４は、Sign Data Hiding処理を行うことを表す制御信号を生成し、係数操作部７５に供給する。そして、処理はステップＳ７９に進む。
【０１３７】
一方、ステップＳ７３でSign Data Hiding処理を行わないと判定されたか、または、ステップＳ７６で和が閾値以下であると判定された場合、処理はステップＳ７８に進む。ステップＳ７８において、閾値判定部７４は、Sign Data Hiding処理を行わないことを表す制御信号を生成し、係数操作部７５に供給する。そして、処理はステップＳ７９に進む。
【０１３８】
ステップＳ７９において、係数操作部７５は、直交変換係数バッファ７１から直交変換係数を読み出す。ステップＳ８０において、係数操作部７５は、閾値判定部７４から供給される制御信号がSign Data Hiding処理を行うことを表すかどうかを判定する。
【０１３９】
ステップＳ８０で、制御信号がSign Data Hiding処理を行うことを表すと判定された場合、ステップＳ８１において、係数操作部７５は、読み出された直交変換係数に対してSign Data Hiding処理を行う。そして、係数操作部７５は、Sign Data Hiding処理後の直交変換係数を図２の直交変換部３４に供給し、処理を図９のステップＳ４０に戻す。その後、処理はステップＳ４１に進む。
【０１４０】
一方、ステップＳ８０で制御信号がSign Data Hiding処理を行わないことを表すと判定された場合、ステップＳ８２において、係数操作部７５は、読み出された直交変換係数をそのまま直交変換部３４に出力し、処理を図９のステップＳ４０に戻す。その後、処理はステップＳ４１に進む。
【０１４１】
図１２は、図１０のステップＳ４３の符号ハイディング復号処理の詳細を説明するフローチャートである。
【０１４２】
図１２のステップＳ９０において、符号ハイディング復号部４１の直交変換係数バッファ９１（図４）は、図２の逆直交変換部４０から供給される直交変換係数を記憶する。
【０１４３】
ステップＳ９１において、閾値設定部９３は、可逆符号化部３７から量子化パラメータを取得する。ステップＳ９２において、閾値設定部９３は、可逆符号化部３７から予測モード情報を取得する。
【０１４４】
ステップＳ９３において、閾値設定部９３は、閾値設定部７３と同様に、ユーザ入力などに応じて予め生成されたイントラ適用情報およびインター適用情報、並びに、可逆符号化部３７から供給される予測モード情報に基づいて、付加処理を行うかどうかを判定する。
【０１４５】
ステップＳ９３で付加処理を行うと判定された場合、ステップＳ９４において、閾値設定部９３は、量子化パラメータに基づいて閾値設定部７３と同様に閾値を設定し、閾値判定部９４に供給する。
【０１４６】
ステップＳ９５において、絶対値和算出部７２は、直交変換係数バッファ９１から非０直交変換係数を読み出し、非０直交変換係数の絶対値の和を求め、その和を閾値判定部７４と係数操作部７５に供給する。
【０１４７】
ステップＳ９６において、閾値判定部９４は、絶対値和算出部９２から供給される和が閾値より大きいかどうかを判定する。ステップＳ９６で和が閾値より大きいと判定された場合、ステップＳ９７において、閾値判定部９４は、付加処理を行うことを表す制御信号を生成し、符号復号化部９５に供給する。そして、処理はステップＳ９９に進む。
【０１４８】
一方、ステップＳ９３で付加処理を行わないと判定されたか、または、ステップＳ９６で和が閾値以下であると判定された場合、処理はステップＳ９８に進む。ステップＳ９８において、閾値判定部９４は、付加処理を行わないことを表す制御信号を生成し、符号復号化部９５に供給する。そして、処理はステップＳ９９に進む。
【０１４９】
ステップＳ９９において、符号復号化部９５は、直交変換係数バッファ９１から直交変換係数を読み出す。ステップＳ１００において、符号復号化部９５は、閾値判定部９４から供給される制御信号が付加処理を行うことを表すかどうかを判定する。
【０１５０】
ステップＳ１００で、制御信号が付加処理を行うことを表すと判定された場合、ステップＳ１０１において、符号復号化部９５は、読み出された直交変換係数に対して付加処理を行う。そして、符号復号化部９５は、付加処理後の直交変換係数を図２の逆直交変換部４０に供給し、処理を図１０のステップＳ４３に戻す。その後、処理はステップＳ４４に進む。
【０１５１】
一方、ステップＳ１００で制御信号が付加処理を行わないことを表すと判定された場合、ステップＳ１０２において、符号復号化部９５は、読み出された直交変換係数をそのまま逆直交変換部４０に出力し、処理を図１０のステップＳ４３に戻す。その後、処理はステップＳ４４に進む。
【０１５２】
以上のように、符号化装置１０は、残差情報の直交変換係数のうちの非０直交変換係数の絶対値の和に基づいて、その直交変換係数に対してSign Data Hiding処理を行うので、Sign Data Hiding処理を適切に行うことができる。
【０１５３】
即ち、非直交変換係数の大きさによってSign Data Hiding処理を施すことによる量子化誤差が画質に与える影響の大きさは異なる。具体的には、例えば、非０直交変換係数が30である場合、Sign Data Hiding処理により、そのSign Data Hiding処理は31になるが、非０直交変換係数が1である場合、Sign Data Hiding処理により、そのSign Data Hiding処理は2になり、後者の方が画質への影響は大きい。
【０１５４】
従って、符号化装置１０は、非０直交変換係数の絶対値の和に基づいてSign Data Hiding処理を行うことにより、画質への影響が大きい場合にSign Data Hiding処理を行わないようにすることができる。よって、符号化装置１０は、Sign Data Hiding処理を適切に行うことができる。その結果、符号化装置１０は、画質の劣化を抑制しつつ、符号化効率を向上することができる。
【０１５５】
また、非０直交変換係数の絶対値の和は、Sign Data Hiding処理にも用いられるため、符号化装置１０は、Sign Data Hiding処理を行うかどうかを判定するために新たに演算を行う必要がない。
【０１５６】
さらに、符号化装置１０は、非０直交変換係数の絶対値の和の閾値を、量子化パラメータに基づいて設定する。これにより、符号化装置１０は、量子化パラメータが大きい場合、即ちSign Data Hiding処理を施すことによる量子化誤差が画質に与える影響が大きい場合、閾値を大きくすることにより、Sign Data Hiding処理を抑制する。
【０１５７】
また、符号化装置１０は、イントラ適用情報とインター適用情報を設定するので、Sign Data Hiding処理をより適切に行うことができる。即ち、一般的に、イントラ予測が行われる場合、インター予測が行われる場合に比べて予測画像の画質が低いため、残差情報、即ち直交変換係数がより重要となる。従って、符号化装置１０は、Sign Data Hiding処理を施すことによる量子化誤差が画質に与える影響が比較的少ない、最適予測モードがインター予測モードである場合にのみSign Data Hiding処理を行うことにより、Sign Data Hiding処理をより適切に行うことができる。
【０１５８】
（復号装置の一実施の形態の構成例）
図１３は、図１の符号化装置１０から伝送される符号化ストリームを復号する、本技術を適用した復号装置の一実施の形態の構成例を示すブロック図である。
【０１５９】
図１３の復号装置１１０は、受け取り部１１１、抽出部１１２、および復号部１１３により構成される。
【０１６０】
復号装置１１０の受け取り部１１１は、図１の符号化装置１０から伝送されてくる符号化ストリームを受け取り、抽出部１１２に供給する。抽出部１１２は、受け取り部１１１から供給される符号化ストリームから、SPS,PPS、符号化データ等を抽出する。抽出部１１２は、符号化データを復号部１１３に供給する。また、抽出部１１２は、SPS,PPS等も、必要に応じて復号部１１３に供給する。
【０１６１】
復号部１１３は、必要に応じて抽出部１１２から供給されるSPS,PPS等を参照し、抽出部１１２から供給される符号化データをHEVC方式で復号する。復号部１１３は、復号の結果得られる画像を、出力信号として出力する。
【０１６２】
（復号部の構成例）
図１４は、図１３の復号部１１３の構成例を示すブロック図である。
【０１６３】
図１４の復号部１１３は、蓄積バッファ１３１、可逆復号部１３２、逆量子化部１３３、逆直交変換部１３４、符号ハイディング復号部１３５、加算部１３６、デブロックフィルタ１３７、適応オフセットフィルタ１３８、適応ループフィルタ１３９、画面並べ替えバッファ１４０、D/A変換部１４１、フレームメモリ１４２、スイッチ１４３、イントラ予測部１４４、動き補償部１４５、およびスイッチ１４６により構成される。
【０１６４】
復号部１１３の蓄積バッファ１３１は、図１３の抽出部１１２から符号化データを受け取り、蓄積する。蓄積バッファ１３１は、蓄積されている符号化データを可逆復号部１３２に供給する。
【０１６５】
可逆復号部１３２は、蓄積バッファ１３１からの符号化データに対して、可変長復号や、算術復号等の可逆復号を施すことで、量子化された係数と符号化情報を得る。可逆復号部１３２は、量子化された係数を逆量子化部１３３に供給する。また、可逆復号部１３２は、符号化情報としてのイントラ予測モード情報などをイントラ予測部１４４に供給し、動きベクトル、参照画像を特定するための情報、インター予測モード情報などを動き補償部１４５に供給する。
【０１６６】
さらに、可逆復号部１３２は、符号化情報としてのイントラ予測モード情報またはインター予測モード情報をスイッチ１４６に供給する。可逆復号部１３２は、符号化情報としてのオフセットフィルタ情報を適応オフセットフィルタ１３８に供給し、フィルタ係数を適応ループフィルタ１３９に供給する。また、可逆復号部１３２は、符号化情報としての量子化パラメータとイントラ予測モード情報またはインター予測モード情報を、符号ハイディング復号部１３５に供給する。
【０１６７】
逆量子化部１３３、逆直交変換部１３４、符号ハイディング復号部１３５、加算部１３６、デブロックフィルタ１３７、適応オフセットフィルタ１３８、適応ループフィルタ１３９、フレームメモリ１４２、スイッチ１４３、イントラ予測部１４４、および、動き補償部１４５は、図２の逆量子化部３９、逆直交変換部４０、符号ハイディング復号部４１、加算部４２、デブロックフィルタ４３、適応オフセットフィルタ４４、適応ループフィルタ４５、フレームメモリ４６、スイッチ４７、イントラ予測部４８、および、動き予測・補償部４９とそれぞれ同様の処理を行い、これにより、画像が復号される。
【０１６８】
具体的には、逆量子化部１３３は、可逆復号部１３２からの量子化された係数を逆量子化し、その結果得られる直交変換係数を逆直交変換部１３４に供給する。
【０１６９】
逆直交変換部１３４は、逆量子化部１３３からの直交変換係数を符号ハイディング復号部１３５に供給し、これにより符号ハイディング復号部１３５から供給される直交変換係数に対して逆直交変換を行う。逆直交変換部１３４は、逆直交変換の結果得られる残差情報を加算部１３６に供給する。
【０１７０】
符号ハイディング復号部１３５は、図４の符号ハイディング復号部４１と同様に構成される。符号ハイディング復号部１３５は、抽出部１１２からのSPSに含まれるイントラ適用情報およびインター適用情報、可逆復号部１３２からの量子化パラメータおよび予測モード情報、並びに、逆直交変換部１３４からの直交変換係数に基づいて、その直交変換係数に対して付加処理を行う。
【０１７１】
ここで、イントラ適用情報は、最適予測モードがイントラ予測モードである場合にSign Data Hiding処理を行うかを表す情報であるため、最適予測モードがイントラ予測モードである場合にSign Data Hiding処理に対応する付加処理を行うかを表す情報として用いられる。同様に、インター適用情報は、最適予測モードがインター予測モードである場合にSign Data Hiding処理に対応する付加処理を行うかを表す情報として用いられる。符号ハイディング復号部１３５は、付加処理後の直交変換係数を逆直交変換部１３４に供給する。
【０１７２】
加算部１３６は、逆直交変換部１３４から供給される復号対象の画像としての残差情報と、スイッチ１４６から供給される予測画像を加算することにより、復号を行う。加算部１３６は、復号の結果得られる画像をデブロックフィルタ１３７に供給するとともに、フレームメモリ１４２に供給する。なお、スイッチ１４６から予測画像が供給されない場合、加算部１３６は、逆直交変換部１３４から供給される残差情報である画像を復号の結果得られる画像として、デブロックフィルタ１３７に供給するとともに、フレームメモリ１４２に供給して蓄積させる。
【０１７３】
デブロックフィルタ１３７は、加算部１３６から供給される画像に対して適応デブロックフィルタ処理を行い、その結果得られる画像を適応オフセットフィルタ１３８に供給する。
【０１７４】
適応オフセットフィルタ１３８は、可逆復号部１３２から供給されるオフセットを順に格納するバッファを有する。また、適応オフセットフィルタ１３８は、LCUごとに、可逆復号部１３２から供給されるオフセットフィルタ情報に基づいて、デブロックフィルタ１３７による適応デブロックフィルタ処理後の画像に対して、適応オフセットフィルタ処理を行う。
【０１７５】
具体的には、オフセットフィルタ情報に含まれる格納フラグが０である場合、適応オフセットフィルタ１３８は、LCU単位のデブロックフィルタ処理後の画像に対して、そのオフセットフィルタ情報に含まれるオフセットを用いて、種類情報が示す種類の適応オフセットフィルタ処理を行う。
【０１７６】
一方、オフセットフィルタ情報に含まれる格納フラグが１である場合、適応オフセットフィルタ１３８は、LCU単位のデブロックフィルタ処理後の画像に対して、そのオフセットフィルタ情報に含まれるインデックスが示す位置に格納されるオフセットを読み出す。そして、適応オフセットフィルタ１３８は、読み出されたオフセットを用いて、種類情報が示す種類の適応オフセットフィルタ処理を行う。適応オフセットフィルタ１３８は、適応オフセットフィルタ処理後の画像を、適応ループフィルタ１３９に供給する。
【０１７７】
適応ループフィルタ１３９は、適応オフセットフィルタ１３８から供給される画像に対して、可逆復号部１３２から供給されるフィルタ係数を用いて、LCUごとに適応ループフィルタ処理を行う。適応ループフィルタ１３９は、その結果得られる画像をフレームメモリ１４２および画面並べ替えバッファ１４０に供給する。
【０１７８】
画面並べ替えバッファ１４０は、適応ループフィルタ１３９から供給される画像をフレーム単位で記憶する。画面並べ替えバッファ１４０は、記憶した符号化のための順番のフレーム単位の画像を、元の表示の順番に並び替え、D/A変換部１４１に供給する。
【０１７９】
D/A変換部１４１は、画面並べ替えバッファ１４０から供給されるフレーム単位の画像をD/A変換し、出力信号として出力する。フレームメモリ１４２は、適応ループフィルタ１３９から供給される画像と加算部１３６から供給される画像を蓄積する。フレームメモリ１４２に蓄積された画像は参照画像として読み出され、スイッチ１４３を介して動き補償部１４５またはイントラ予測部１４４に供給される。
【０１８０】
イントラ予測部１４４は、フレームメモリ１４２からスイッチ１４３を介して読み出された参照画像を用いて、可逆復号部１３２から供給されるイントラ予測モード情報が示すイントラ予測モードのイントラ予測処理を行う。イントラ予測部１４４は、その結果生成される予測画像をスイッチ１４６に供給する。
【０１８１】
動き補償部１４５は、可逆復号部１３２から供給される参照画像を特定するための情報に基づいて、フレームメモリ１４２からスイッチ１４３を介して参照画像を読み出す。動き補償部１４５は、動きベクトルと参照画像を用いて、インター予測モード情報が示す最適インター予測モードの動き補償処理を行う。動き補償部１４５は、その結果生成される予測画像をスイッチ１４６に供給する。
【０１８２】
スイッチ１４６は、可逆復号部１３２からイントラ予測モード情報が供給された場合、イントラ予測部１４４から供給される予測画像を加算部１３６に供給する。一方、可逆復号部１３２からインター予測モード情報が供給された場合、スイッチ１４６は、動き補償部１４５から供給される予測画像を加算部１３６に供給する。
【０１８３】
（復号装置の処理の説明）
図１５は、図１３の復号装置１１０による受け取り処理を説明するフローチャートである。
【０１８４】
図１５のステップＳ１１１において、復号装置１１０の受け取り部１１１は、図１の符号化装置１０から伝送されてくる符号化ストリームを受け取り、抽出部１１２に供給する。
【０１８５】
ステップＳ１１２において、抽出部１１２は、受け取り部１１１から供給される符号化ストリームから、SPS,PPS、符号化データ等を抽出する。抽出部１１２は、符号化データを復号部１１３に供給する。また、抽出部１１２は、SPS,PPS等も、必要に応じて復号部１１３に供給する。
【０１８６】
ステップＳ１１３において、復号部１１３は、必要に応じて抽出部１１２から供給されるSPS,PPS等を参照し、抽出部１１２から供給される符号化データをHEVC方式で復号する復号処理を行う。この復号処理の詳細は、後述する図１６を参照して説明する。処理を終了する。
【０１８７】
図１６は、図１５のステップＳ１１３の復号処理の詳細を説明するフローチャートである。
【０１８８】
図１６のステップＳ１３１において、復号部１１３の蓄積バッファ１３１は、図１３の抽出部１１２からフレーム単位の符号化データを受け取り、蓄積する。蓄積バッファ１３１は、蓄積されている符号化データを可逆復号部１３２に供給する。
【０１８９】
ステップＳ１３２において、可逆復号部１３２は、蓄積バッファ１３１からの符号化データを可逆復号し、量子化された係数と符号化情報を得る。可逆復号部１３２は、量子化された係数を逆量子化部１３３に供給する。また、可逆復号部１３２は、符号化情報としてのイントラ予測モード情報などをイントラ予測部１４４に供給し、動きベクトル、インター予測モード情報、参照画像を特定するための情報などを動き補償部１４５に供給する。
【０１９０】
さらに、可逆復号部１３２は、符号化情報としてのイントラ予測モード情報またはインター予測モード情報をスイッチ１４６に供給する。可逆復号部１３２は、符号化情報としてのオフセットフィルタ情報を適応オフセットフィルタ１３８に供給し、フィルタ係数を適応ループフィルタ１３９に供給する。また、可逆復号部１３２は、符号化情報としての量子化パラメータとイントラ予測モード情報またはインター予測モード情報を、符号ハイディング復号部１３５に供給する。
【０１９１】
ステップＳ１３３において、逆量子化部１３３は、可逆復号部１３２からの量子化された係数を逆量子化し、その結果得られる直交変換係数を逆直交変換部１３４に供給する。逆直交変換部１３４は、逆量子化部１３３から供給される直交変換係数を符号ハイディング復号部１３５に供給する。
【０１９２】
ステップＳ１３４において、動き補償部１４５は、可逆復号部１３２からインター予測モード情報が供給されたかどうかを判定する。ステップＳ１３４でインター予測モード情報が供給されたと判定された場合、処理はステップＳ１３５に進む。
【０１９３】
ステップＳ１３５において、動き補償部１４５は、可逆復号部１３２から供給される参照画像を特定するための情報に基づいて参照画像を読み出し、動きベクトルと参照画像を用いて、インター予測モード情報が示す最適インター予測モードの動き補償処理を行う。動き補償部１４５は、その結果生成される予測画像を、スイッチ１４６を介して加算部１３６に供給し、処理をステップＳ１３７に進める。
【０１９４】
一方、ステップＳ１３４でインター予測モード情報が供給されていないと判定された場合、即ちイントラ予測モード情報がイントラ予測部１４４に供給された場合、処理はステップＳ１３６に進む。
【０１９５】
ステップＳ１３６において、イントラ予測部１４４は、フレームメモリ１４２からスイッチ１４３を介して読み出された参照画像を用いて、イントラ予測モード情報が示すイントラ予測モードのイントラ予測処理を行う。イントラ予測部１４４は、イントラ予測処理の結果生成される予測画像を、スイッチ１４６を介して加算部１３６に供給し、処理をステップＳ１３７に進める。
【０１９６】
ステップＳ１３７において、符号ハイディング復号部１３５は、逆直交変換部１３４から供給される直交変換係数に対して符号ハイディング復号処理を行う。この符号ハイディング復号処理は、イントラ適用情報およびインター適用情報が抽出部１１２からのSPSに含まれる点と、量子化パラメータおよび予測モード情報が可逆復号部１３２から取得される点を除いて、図１２の符号ハイディング復号処理と同様である。符号ハイディング復号部１３５は、付加処理後の直交変換係数を逆直交変換部１３４に供給する。
【０１９７】
ステップＳ１３８において、逆直交変換部１３４は、符号ハイディング復号部１３５からの直交変換係数に対して逆直交変換を施し、その結果得られる残差情報を加算部１３６に供給する。
【０１９８】
ステップＳ１３９において、加算部１３６は、逆直交変換部１３４から供給される残差情報と、スイッチ１４６から供給される予測画像を加算する。加算部１３６は、その結果得られる画像をデブロックフィルタ１３７に供給するとともに、フレームメモリ１４２に供給する。
【０１９９】
ステップＳ１４０において、デブロックフィルタ１３７は、加算部１３６から供給される画像に対してデブロッキングフィルタ処理を行い、ブロック歪を除去する。デブロックフィルタ１３７は、その結果得られる画像を適応オフセットフィルタ１３８に供給する。
【０２００】
ステップＳ１４１において、適応オフセットフィルタ１３８は、可逆復号部１３２から供給されるオフセットフィルタ情報に基づいて、デブロックフィルタ１３７によるデブロックフィルタ処理後の画像に対して、LCUごとに適応オフセットフィルタ処理を行う。適応オフセットフィルタ１３８は、適応オフセットフィルタ処理後の画像を、適応ループフィルタ１３９に供給する。
【０２０１】
ステップＳ１４２において、適応ループフィルタ１３９は、適応オフセットフィルタ１３８から供給される画像に対して、可逆復号部１３２から供給されるフィルタ係数を用いて、LCUごとに適応ループフィルタ処理を行う。適応ループフィルタ１３９は、その結果得られる画像をフレームメモリ１４２および画面並べ替えバッファ１４０に供給する。
【０２０２】
ステップＳ１４３において、フレームメモリ１４２は、加算部１３６から供給される画像と、適応ループフィルタ１３９から供給される画像を蓄積する。フレームメモリ１４２に蓄積された画像は、参照画像としてスイッチ１４３を介して動き補償部１４５またはイントラ予測部１４４に供給される。
【０２０３】
ステップＳ１４４において、画面並べ替えバッファ１４０は、適応ループフィルタ１３９から供給される画像をフレーム単位で記憶し、記憶した符号化のための順番のフレーム単位の画像を、元の表示の順番に並び替え、D/A変換部１４１に供給する。
【０２０４】
ステップＳ１４５において、D/A変換部１４１は、画面並べ替えバッファ１４０から供給されるフレーム単位の画像をD/A変換し、出力信号として出力する。そして、処理は、図１５のステップＳ１１３に戻り、終了する。
【０２０５】
以上のように、復号装置１１０は、残差情報の直交変換係数のうちの非０直交変換係数の絶対値の和に基づいて、その直交変換係数に対して付加処理を行う。従って、符号化装置１０において適切に行われたSign Data Hiding処理により削除された先頭の非０直交変換係数の符号を復元することができる。その結果、Sign Data Hiding処理が適切に行われた符号化ストリームを復号することができる。
【０２０６】
また、復号装置１１０は、符号化情報に含まれる符号化時の量子化パラメータに基づいて、符号化装置１０と同様に、非０直交変換係数の絶対値の和の閾値を設定する。これにより、復号装置１１０は、符号化装置１０において量子化パラメータに基づいて設定された閾値を用いて適切に行われたSign Data Hiding処理により削除された先頭の非０直交変換係数の符号を復元することができる。
【０２０７】
さらに、復号装置１１０は、SPSに含まれるイントラ適用情報とインター適用情報に基づいて付加処理を行う。従って、復号装置１１０は、符号化装置１０においてイントラ適用情報とインター適用情報に基づいて適切に行われたSign Data Hiding処理により削除された先頭の非０直交変換係数の符号を復元することができる。
【０２０８】
（多視点画像符号化・多視点画像復号への適用）
上述した一連の処理は、多視点画像符号化・多視点画像復号に適用することができる。図１７は、多視点画像符号化方式の一例を示す。
【０２０９】
図１７に示されるように、多視点画像は、複数の視点の画像を含み、その複数の視点のうちの所定の１つの視点の画像が、ベースビューの画像に指定されている。ベースビューの画像以外の各視点の画像は、ノンベースビューの画像として扱われる。
【０２１０】
図１７のような多視点画像符号化を行う場合、各ビューの画像を符号化・復号するが、この各ビューの符号化・復号に対して、上述した実施の形態の方法を適用するようにしてもよい。このようにすることにより、Sign Data Hiding処理を適切に行うことができる。
【０２１１】
また、各ビュー（同一ビュー）において、量子化パラメータの差分をとることもできる：
(1)base-view：
(1-1) dQP(base view)＝Current_CU_QP(base view)−LCU_QP(base view)
(1-2) dQP(base view)＝Current_CU_QP(base view)−Previsous_CU_QP(base view)
(1-3) dQP(base view)＝Current_CU_QP(base view)−Slice_QP(base view)
(2)non-base-view：
(2-1) dQP(non-base view)＝Current_CU_QP(non-base view)−LCU_QP(non-base view)
(2-2) dQP(non-base view)＝CurrentQP(non-base view)−PrevisousQP(non-base view)
(2-3) dQP(non-base view)＝Current_CU_QP(non-base view)−Slice_QP(non-base view)
【０２１２】
多視点画像符号化を行う場合、各ビュー(異なるビュー)において、量子化パラメータの差分をとることもできる：
(3)base-view/ non-base view：
(3-1) dQP(inter-view)＝Slice_QP(base view)−Slice_QP(non-base view)
(3-2) dQP(inter-view)＝LCU_QP(base view)−LCU_QP(non-base view)
(4)non-base view / non-base view ：
(4-1) dQP(inter-view)＝Slice_QP(non-base view i)−Slice_QP(non-base view j)
(4-2) dQP(inter-view)＝LCU_QP(non-base view i)−LCU_QP(non-base view j)
【０２１３】
この場合、上記(1)乃至(4)を組み合わせて用いることもできる。たとえば、ノンベースビューでは、ベースビューとノンベースビューとの間においてスライスレベルで量子化パラメータの差分をとる手法(3-1と2-3とを組み合わせる)、ベースビューとノンベースビューとの間においてLCUレベルで量子化パラメータの差分をとる手法(3-2と2-1とを組み合わせる)、が考えられる。このように、差分を繰り返して適用することにより、多視点符号化を行った場合においても、符号化効率を向上させることができる。
【０２１４】
上述した手法と同様に、上記の各dQPに対して、値が0でないdQPが存在するか否かを識別するフラグをセットすることもできる。
【０２１５】
（多視点画像符号化装置の構成例）
図１８は、上述した多視点画像符号化を行う多視点画像符号化装置を示す図である。図１８に示されるように、多視点画像符号化装置６００は、符号化部６０１、符号化部６０２、および多重化部６０３を有する。
【０２１６】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【０２１７】
この多視点画像符号化装置６００の符号化部６０１および符号化部６０２に対して、符号化装置１０（図１）を適用することができる。この場合、多視点画像符号化装置６００は、符号化部６０１が設定する量子化パラメータと符号化部６０２が設定する量子化パラメータとの差分値を設定して、伝送させる。
【０２１８】
（多視点画像復号装置の構成例）
図１９は、上述した多視点画像復号を行う多視点画像復号装置を示す図である。図１９に示されるように、多視点画像復号装置６１０は、逆多重化部６１１、復号部６１２、および復号部６１３を有する。
【０２１９】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０２２０】
この多視点画像復号装置６１０の復号部６１２および復号部６１３に対して、復号装置１１０（図１３）を適用することができる。この場合、多視点画像復号装置６１０は、符号化部６０１が設定する量子化パラメータと符号化部６０２が設定する量子化パラメータとの差分値から量子化パラメータを設定して、逆量子化を行う。
【０２２１】
（階層画像符号化・階層画像復号への適用）
上述した一連の処理は、階層画像符号化・階層画像復号に適用することができる。図２０は、多視点画像符号化方式の一例を示す。
【０２２２】
図２０に示されるように、階層画像は、所定のパラメータについてスケーラブル（scalable）機能を有するように、複数の階層の画像を含み、その複数の階層のうちの所定の１つの階層の画像が、ベースレイヤの画像に指定されている。ベースレイヤの画像以外の各階層の画像は、ノンベースレイヤの画像として扱われる。
【０２２３】
図２０のような階層画像符号化を行う場合、各レイヤ(同一レイヤ)において、量子化パラメータの差分をとることもできる：
(1)base-layer：
(1-1)dQP(base layer)＝Current_CU_QP(base layer)−LCU_QP(base layer)
(1-2)dQP(base layer)＝Current_CU_QP(base layer)−Previsous_CU_QP(base layer)
(1-3)dQP(base layer)＝Current_CU_QP(base layer)−Slice_QP(base layer)
(2)non-base-layer：
(2-1)dQP(non-base layer)＝Current_CU_QP(non-base layer)−LCU_QP(non-base layer)
(2-2)dQP(non-base layer)＝CurrentQP(non-base layer)−PrevisousQP(non-base layer)
(2-3)dQP(non-base layer)＝Current_CU_QP(non-base layer)−Slice_QP(non-base layer)
【０２２４】
階層符号化を行う場合、各レイヤ(異なるレイヤ)において、量子化パラメータの差分をとることもできる：
(3)base-layer/ non-base layer：
(3-1)dQP(inter-layer)＝Slice_QP(base layer)−Slice_QP(non-base layer)
(3-2)dQP(inter-layer)＝LCU_QP(base layer)−LCU_QP(non-base layer)
(4)non-base layer / non-base layer ：
(4-1)dQP(inter-layer)＝Slice_QP(non-base layer i)−Slice_QP(non-base layer j)
(4-2)dQP(inter-layer)＝LCU_QP(non-base layer i)−LCU_QP(non-base layer j)
【０２２５】
この場合、上記(1)乃至(4)を組み合わせて用いることもできる。たとえば、ノンベースレイヤでは、ベースレイヤとノンベースレイヤとの間においてスライスレベルで量子化パラメータの差分をとる手法(3-1と2-3とを組み合わせる)、ベースレイヤとノンベースレイヤとの間においてLCUレベルで量子化パラメータの差分をとる手法(3-2と2-1とを組み合わせる)、が考えられる。このように、差分を繰り返して適用することにより、階層符号化を行った場合においても、符号化効率を向上させることができる。
【０２２６】
上述した手法と同様に、上記の各dQPに対して、値が0でないdQPが存在するか否かを識別するフラグをセットすることもできる。
【０２２７】
（スケーラブルなパラメータ）
このような階層画像符号化・階層画像復号（スケーラブル符号化・スケーラブル復号）において、スケーラブル（scalable）機能を有するパラメータは、任意である。例えば、図２１に示されるような空間解像度をそのパラメータとしてもよい（spatial scalability）。このスペーシャルスケーラビリティ（spatial scalability）の場合、レイヤ毎に画像の解像度が異なる。つまり、この場合、図２１に示されるように、各ピクチャが、元の画像より空間的に低解像度のベースレイヤと、ベースレイヤと合成することにより元の空間解像度が得られるエンハンスメントレイヤの２階層に階層化される。もちろん、この階層数は一例であり、任意の階層数に階層化することができる。
【０２２８】
また、このようなスケーラブル性を持たせるパラメータとして、他には、例えば、図２２に示されるような、時間解像度を適用しても良い（temporal scalability）。このテンポラルスケーラビリティ（temporal scalability）の場合、レイヤ毎にフレームレートが異なる。つまり、この場合、図２２に示されるように、各ピクチャが、元の動画像より低フレームレートのベースレイヤと、ベースレイヤと合成することにより元のフレームレートが得られるエンハンスメントレイヤの２階層に階層化される。もちろん、この階層数は一例であり、任意の階層数に階層化することができる。
【０２２９】
さらに、このようなスケーラブル性を持たせるパラメータとして、例えば、信号雑音比（SNR（Signal to Noise ratio））を適用しても良い（SNR scalability）。このSNRスケーラビリティ（SNR scalability）の場合、レイヤ毎にSN比が異なる。つまり、この場合、図２３に示されるように、各ピクチャが、元の画像よりSNRの低いベースレイヤと、ベースレイヤと合成することにより元のSNRが得られるエンハンスメントレイヤの２階層に階層化される。もちろん、この階層数は一例であり、任意の階層数に階層化することができる。
【０２３０】
スケーラブル性を持たせるパラメータは、上述した例以外であっても、もちろんよい。例えば、スケーラブル性を持たせるパラメータとして、ビット深度を用いることもできる（bit-depth scalability）。このビット深度スケーラビリティ（bit-depth scalability）の場合、レイヤ毎にビット深度が異なる。この場合、例えば、ベースレイヤ（base layer）が８ビット（bit）画像よりなり、これにエンハンスメントレイヤ（enhancement layer）を加えることにより、10ビット（bit）画像が得られるようにすることができる。
【０２３１】
また、スケーラブル性を持たせるパラメータとして、クロマフォーマットを用いることもできる（chroma scalability）。このクロマスケーラビリティ（chroma scalability）の場合、レイヤ毎にクロマフォーマットが異なる。この場合、例えば、ベースレイヤ（base layer）が4:2:0フォーマットのコンポーネント画像よりなり、これにエンハンスメントレイヤ（enhancement layer）を加えることにより、4:2:2フォーマットのコンポーネント画像が得られるようにすることができる。
【０２３２】
（階層画像符号化装置の構成例）
図２４は、上述した階層画像符号化を行う階層画像符号化装置を示す図である。図２４に示されるように、階層画像符号化装置６２０は、符号化部６２１、符号化部６２２、および多重化部６２３を有する。
【０２３３】
符号化部６２１は、ベースレイヤ画像を符号化し、ベースレイヤ画像符号化ストリームを生成する。符号化部６２２は、ノンベースレイヤ画像を符号化し、ノンベースレイヤ画像符号化ストリームを生成する。多重化部６２３は、符号化部６２１において生成されたベースレイヤ画像符号化ストリームと、符号化部６２２において生成されたノンベースレイヤ画像符号化ストリームとを多重化し、階層画像符号化ストリームを生成する。
【０２３４】
この階層画像符号化装置６２０の符号化部６２１および符号化部６２２に対して、符号化装置１０（図１）を適用することができる。この場合、階層画像符号化装置６２０は、符号化部６２１が設定する量子化パラメータと符号化部６２２が設定する量子化パラメータとの差分値を設定して、伝送させる。
【０２３５】
（階層画像復号装置の構成例）
図２５は、上述した階層画像復号を行う階層画像復号装置を示す図である。図２５に示されるように、階層画像復号装置６３０は、逆多重化部６３１、復号部６３２、および復号部６３３を有する。
【０２３６】
逆多重化部６３１は、ベースレイヤ画像符号化ストリームとノンベースレイヤ画像符号化ストリームとが多重化された階層画像符号化ストリームを逆多重化し、ベースレイヤ画像符号化ストリームと、ノンベースレイヤ画像符号化ストリームとを抽出する。復号部６３２は、逆多重化部６３１により抽出されたベースレイヤ画像符号化ストリームを復号し、ベースレイヤ画像を得る。復号部６３３は、逆多重化部６３１により抽出されたノンベースレイヤ画像符号化ストリームを復号し、ノンベースレイヤ画像を得る。
【０２３７】
この階層画像復号装置６３０の復号部６３２および復号部６３３に対して、復号装置１１０（図１３）を適用することができる。この場合、階層画像復号装置６３０は、符号化部６２１が設定する量子化パラメータと符号化部６２２が設定する量子化パラメータとの差分値から量子化パラメータ設定して、逆量子化を行う。
【０２３８】
（本技術を適用したコンピュータの説明）
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２３９】
図２６は、上述した一連の処理をプログラムにより実行するコンピュータのハードウエアの構成例を示すブロック図である。
【０２４０】
コンピュータにおいて、CPU（Central Processing Unit）８０１，ROM（Read Only Memory）８０２，RAM（Random Access Memory）８０３は、バス８０４により相互に接続されている。
【０２４１】
バス８０４には、さらに、入出力インタフェース８０５が接続されている。入出力インタフェース８０５には、入力部８０６、出力部８０７、記憶部８０８、通信部８０９、及びドライブ８１０が接続されている。
【０２４２】
入力部８０６は、キーボード、マウス、マイクロホンなどよりなる。出力部８０７は、ディスプレイ、スピーカなどよりなる。記憶部８０８は、ハードディスクや不揮発性のメモリなどよりなる。通信部８０９は、ネットワークインタフェースなどよりなる。ドライブ８１０は、磁気ディスク、光ディスク、光磁気ディスク、又は半導体メモリなどのリムーバブルメディア８１１を駆動する。
【０２４３】
以上のように構成されるコンピュータでは、CPU８０１が、例えば、記憶部８０８に記憶されているプログラムを、入出力インタフェース８０５及びバス８０４を介して、RAM８０３にロードして実行することにより、上述した一連の処理が行われる。
【０２４４】
コンピュータ（CPU８０１）が実行するプログラムは、例えば、パッケージメディア等としてのリムーバブルメディア８１１に記録して提供することができる。また、プログラムは、ローカルエリアネットワーク、インターネット、デジタル衛星放送といった、有線または無線の伝送媒体を介して提供することができる。
【０２４５】
コンピュータでは、プログラムは、リムーバブルメディア８１１をドライブ８１０に装着することにより、入出力インタフェース８０５を介して、記憶部８０８にインストールすることができる。また、プログラムは、有線または無線の伝送媒体を介して、通信部８０９で受信し、記憶部８０８にインストールすることができる。その他、プログラムは、ROM８０２や記憶部８０８に、あらかじめインストールしておくことができる。
【０２４６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２４７】
（テレビジョン装置の構成例）
図２７は、本技術を適用したテレビジョン装置の概略構成を例示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース部９０９を有している。さらに、テレビジョン装置９００は、制御部９１０、ユーザインタフェース部９１１等を有している。
【０２４８】
チューナ９０２は、アンテナ９０１で受信された放送波信号から所望のチャンネルを選局して復調を行い、得られた符号化ビットストリームをデマルチプレクサ９０３に出力する。
【０２４９】
デマルチプレクサ９０３は、符号化ビットストリームから視聴対象である番組の映像や音声のパケットを抽出して、抽出したパケットのデータをデコーダ９０４に出力する。また、デマルチプレクサ９０３は、ＥＰＧ（Electronic Program Guide）等のデータのパケットを制御部９１０に供給する。なお、スクランブルが行われている場合、デマルチプレクサ等でスクランブルの解除を行う。
【０２５０】
デコーダ９０４は、パケットの復号化処理を行い、復号処理化によって生成された映像データを映像信号処理部９０５、音声データを音声信号処理部９０７に出力する。
【０２５１】
映像信号処理部９０５は、映像データに対して、ノイズ除去やユーザ設定に応じた映像処理等を行う。映像信号処理部９０５は、表示部９０６に表示させる番組の映像データや、ネットワークを介して供給されるアプリケーションに基づく処理による画像データなどを生成する。また、映像信号処理部９０５は、項目の選択などのメニュー画面等を表示するための映像データを生成し、それを番組の映像データに重畳する。映像信号処理部９０５は、このようにして生成した映像データに基づいて駆動信号を生成して表示部９０６を駆動する。
【０２５２】
表示部９０６は、映像信号処理部９０５からの駆動信号に基づき表示デバイス（例えば液晶表示素子等）を駆動して、番組の映像などを表示させる。
【０２５３】
音声信号処理部９０７は、音声データに対してノイズ除去などの所定の処理を施し、処理後の音声データのＤ／Ａ変換処理や増幅処理を行いスピーカ９０８に供給することで音声出力を行う。
【０２５４】
外部インタフェース部９０９は、外部機器やネットワークと接続するためのインタフェースであり、映像データや音声データ等のデータ送受信を行う。
【０２５５】
制御部９１０にはユーザインタフェース部９１１が接続されている。ユーザインタフェース部９１１は、操作スイッチやリモートコントロール信号受信部等で構成されており、ユーザ操作に応じた操作信号を制御部９１０に供給する。
【０２５６】
制御部９１０は、ＣＰＵ(Central Processing Unit)やメモリ等を用いて構成されている。メモリは、ＣＰＵにより実行されるプログラムやＣＰＵが処理を行う上で必要な各種のデータ、ＥＰＧデータ、ネットワークを介して取得されたデータ等を記憶する。メモリに記憶されているプログラムは、テレビジョン装置９００の起動時などの所定タイミングでＣＰＵにより読み出されて実行される。ＣＰＵは、プログラムを実行することで、テレビジョン装置９００がユーザ操作に応じた動作となるように各部を制御する。
【０２５７】
なお、テレビジョン装置９００では、チューナ９０２、デマルチプレクサ９０３、映像信号処理部９０５、音声信号処理部９０７、外部インタフェース部９０９等と制御部９１０を接続するためバス９１２が設けられている。
【０２５８】
このように構成されたテレビジョン装置では、デコーダ９０４に本願の復号装置（復号方法）の機能が設けられる。このため、Sign Data Hiding処理が適切に行われた符号化ストリームを復号することができる。
【０２５９】
（携帯電話機の構成例）
図２８は、本技術を適用した携帯電話機の概略構成を例示している。携帯電話機９２０は、通信部９２２、音声コーデック９２３、カメラ部９２６、画像処理部９２７、多重分離部９２８、記録再生部９２９、表示部９３０、制御部９３１を有している。これらは、バス９３３を介して互いに接続されている。
【０２６０】
また、通信部９２２にはアンテナ９２１が接続されており、音声コーデック９２３には、スピーカ９２４とマイクロホン９２５が接続されている。さらに制御部９３１には、操作部９３２が接続されている。
【０２６１】
携帯電話機９２０は、音声通話モードやデータ通信モード等の各種モードで、音声信号の送受信、電子メールや画像データの送受信、画像撮影、またはデータ記録等の各種動作を行う。
【０２６２】
音声通話モードにおいて、マイクロホン９２５で生成された音声信号は、音声コーデック９２３で音声データへの変換やデータ圧縮が行われて通信部９２２に供給される。通信部９２２は、音声データの変調処理や周波数変換処理等を行い、送信信号を生成する。また、通信部９２２は、送信信号をアンテナ９２１に供給して図示しない基地局へ送信する。また、通信部９２２は、アンテナ９２１で受信した受信信号の増幅や周波数変換処理および復調処理等を行い、得られた音声データを音声コーデック９２３に供給する。音声コーデック９２３は、音声データのデータ伸張やアナログ音声信号への変換を行いスピーカ９２４に出力する。
【０２６３】
また、データ通信モードにおいて、メール送信を行う場合、制御部９３１は、操作部９３２の操作によって入力された文字データを受け付けて、入力された文字を表示部９３０に表示する。また、制御部９３１は、操作部９３２におけるユーザ指示等に基づいてメールデータを生成して通信部９２２に供給する。通信部９２２は、メールデータの変調処理や周波数変換処理等を行い、得られた送信信号をアンテナ９２１から送信する。また、通信部９２２は、アンテナ９２１で受信した受信信号の増幅や周波数変換処理および復調処理等を行い、メールデータを復元する。このメールデータを、表示部９３０に供給して、メール内容の表示を行う。
【０２６４】
なお、携帯電話機９２０は、受信したメールデータを、記録再生部９２９で記憶媒体に記憶させることも可能である。記憶媒体は、書き換え可能な任意の記憶媒体である。例えば、記憶媒体は、ＲＡＭや内蔵型フラッシュメモリ等の半導体メモリ、ハードディスク、磁気ディスク、光磁気ディスク、光ディスク、ＵＳＢメモリ、またはメモリカード等のリムーバブルメディアである。
【０２６５】
データ通信モードにおいて画像データを送信する場合、カメラ部９２６で生成された画像データを、画像処理部９２７に供給する。画像処理部９２７は、画像データの符号化処理を行い、符号化データを生成する。
【０２６６】
多重分離部９２８は、画像処理部９２７で生成された符号化データと、音声コーデック９２３から供給された音声データを所定の方式で多重化して通信部９２２に供給する。通信部９２２は、多重化データの変調処理や周波数変換処理等を行い、得られた送信信号をアンテナ９２１から送信する。また、通信部９２２は、アンテナ９２１で受信した受信信号の増幅や周波数変換処理および復調処理等を行い、多重化データを復元する。この多重化データを多重分離部９２８に供給する。多重分離部９２８は、多重化データの分離を行い、符号化データを画像処理部９２７、音声データを音声コーデック９２３に供給する。画像処理部９２７は、符号化データの復号化処理を行い、画像データを生成する。この画像データを表示部９３０に供給して、受信した画像の表示を行う。音声コーデック９２３は、音声データをアナログ音声信号に変換してスピーカ９２４に供給して、受信した音声を出力する。
【０２６７】
このように構成された携帯電話装置では、画像処理部９２７に本願の符号化装置および復号装置（符号化方法および復号方法）の機能が設けられる。このため、Sign Data Hiding処理を適切に行うことができる。また、Sign Data Hiding処理が適切に行われた符号化ストリームを復号することができる。
【０２６８】
（記録再生装置の構成例）
図２９は、本技術を適用した記録再生装置の概略構成を例示している。記録再生装置９４０は、例えば受信した放送番組のオーディオデータとビデオデータを、記録媒体に記録して、その記録されたデータをユーザの指示に応じたタイミングでユーザに提供する。また、記録再生装置９４０は、例えば他の装置からオーディオデータやビデオデータを取得し、それらを記録媒体に記録させることもできる。さらに、記録再生装置９４０は、記録媒体に記録されているオーディオデータやビデオデータを復号して出力することで、モニタ装置等において画像表示や音声出力を行うことができるようにする。
【０２６９】
記録再生装置９４０は、チューナ９４１、外部インタフェース部９４２、エンコーダ９４３、ＨＤＤ（Hard Disk Drive）部９４４、ディスクドライブ９４５、セレクタ９４６、デコーダ９４７、ＯＳＤ（On-Screen Display）部９４８、制御部９４９、ユーザインタフェース部９５０を有している。
【０２７０】
チューナ９４１は、図示しないアンテナで受信された放送信号から所望のチャンネルを選局する。チューナ９４１は、所望のチャンネルの受信信号を復調して得られた符号化ビットストリームをセレクタ９４６に出力する。
【０２７１】
外部インタフェース部９４２は、ＩＥＥＥ１３９４インタフェース、ネットワークインタフェース部、ＵＳＢインタフェース、フラッシュメモリインタフェース等の少なくともいずれかで構成されている。外部インタフェース部９４２は、外部機器やネットワーク、メモリカード等と接続するためのインタフェースであり、記録する映像データや音声データ等のデータ受信を行う。
【０２７２】
エンコーダ９４３は、外部インタフェース部９４２から供給された映像データや音声データが符号化されていないとき所定の方式で符号化を行い、符号化ビットストリームをセレクタ９４６に出力する。
【０２７３】
ＨＤＤ部９４４は、映像や音声等のコンテンツデータ、各種プログラムやその他のデータ等を内蔵のハードディスクに記録し、また再生時等にそれらを当該ハードディスクから読み出す。
【０２７４】
ディスクドライブ９４５は、装着されている光ディスクに対する信号の記録および再生を行う。光ディスク、例えばＤＶＤディスク（ＤＶＤ−Ｖｉｄｅｏ、ＤＶＤ−ＲＡＭ、ＤＶＤ−Ｒ、ＤＶＤ−ＲＷ、ＤＶＤ＋Ｒ、ＤＶＤ＋ＲＷ等）やＢｌｕ−ｒａｙ（登録商標）ディスク等である。
【０２７５】
セレクタ９４６は、映像や音声の記録時には、チューナ９４１またはエンコーダ９４３からのいずれかの符号化ビットストリームを選択して、ＨＤＤ部９４４やディスクドライブ９４５のいずれかに供給する。また、セレクタ９４６は、映像や音声の再生時に、ＨＤＤ部９４４またはディスクドライブ９４５から出力された符号化ビットストリームをデコーダ９４７に供給する。
【０２７６】
デコーダ９４７は、符号化ビットストリームの復号化処理を行う。デコーダ９４７は、復号処理化を行うことにより生成された映像データをＯＳＤ部９４８に供給する。また、デコーダ９４７は、復号処理化を行うことにより生成された音声データを出力する。
【０２７７】
ＯＳＤ部９４８は、項目の選択などのメニュー画面等を表示するための映像データを生成し、それをデコーダ９４７から出力された映像データに重畳して出力する。
【０２７８】
制御部９４９には、ユーザインタフェース部９５０が接続されている。ユーザインタフェース部９５０は、操作スイッチやリモートコントロール信号受信部等で構成されており、ユーザ操作に応じた操作信号を制御部９４９に供給する。
【０２７９】
制御部９４９は、ＣＰＵやメモリ等を用いて構成されている。メモリは、ＣＰＵにより実行されるプログラムやＣＰＵが処理を行う上で必要な各種のデータを記憶する。メモリに記憶されているプログラムは、記録再生装置９４０の起動時などの所定タイミングでＣＰＵにより読み出されて実行される。ＣＰＵは、プログラムを実行することで、記録再生装置９４０がユーザ操作に応じた動作となるように各部を制御する。
【０２８０】
このように構成された記録再生装置では、デコーダ９４７に本願の復号装置（復号方法）の機能が設けられる。このため、Sign Data Hiding処理が適切に行われた符号化ストリームを復号することができる。
【０２８１】
（撮像装置の構成例）
図３０は、本技術を適用した撮像装置の概略構成を例示している。撮像装置９６０は、被写体を撮像し、被写体の画像を表示部に表示させたり、それを画像データとして、記録媒体に記録する。
【０２８２】
撮像装置９６０は、光学ブロック９６１、撮像部９６２、カメラ信号処理部９６３、画像データ処理部９６４、表示部９６５、外部インタフェース部９６６、メモリ部９６７、メディアドライブ９６８、ＯＳＤ部９６９、制御部９７０を有している。また、制御部９７０には、ユーザインタフェース部９７１が接続されている。さらに、画像データ処理部９６４や外部インタフェース部９６６、メモリ部９６７、メディアドライブ９６８、ＯＳＤ部９６９、制御部９７０等は、バス９７２を介して接続されている。
【０２８３】
光学ブロック９６１は、フォーカスレンズや絞り機構等を用いて構成されている。光学ブロック９６１は、被写体の光学像を撮像部９６２の撮像面に結像させる。撮像部９６２は、ＣＣＤまたはＣＭＯＳイメージセンサを用いて構成されており、光電変換によって光学像に応じた電気信号を生成してカメラ信号処理部９６３に供給する。
【０２８４】
カメラ信号処理部９６３は、撮像部９６２から供給された電気信号に対してニー補正やガンマ補正、色補正等の種々のカメラ信号処理を行う。カメラ信号処理部９６３は、カメラ信号処理後の画像データを画像データ処理部９６４に供給する。
【０２８５】
画像データ処理部９６４は、カメラ信号処理部９６３から供給された画像データの符号化処理を行う。画像データ処理部９６４は、符号化処理を行うことにより生成された符号化データを外部インタフェース部９６６やメディアドライブ９６８に供給する。また、画像データ処理部９６４は、外部インタフェース部９６６やメディアドライブ９６８から供給された符号化データの復号化処理を行う。画像データ処理部９６４は、復号化処理を行うことにより生成された画像データを表示部９６５に供給する。また、画像データ処理部９６４は、カメラ信号処理部９６３から供給された画像データを表示部９６５に供給する処理や、ＯＳＤ部９６９から取得した表示用データを、画像データに重畳させて表示部９６５に供給する。
【０２８６】
ＯＳＤ部９６９は、記号、文字、または図形からなるメニュー画面やアイコンなどの表示用データを生成して画像データ処理部９６４に出力する。
【０２８７】
外部インタフェース部９６６は、例えば、ＵＳＢ入出力端子などで構成され、画像の印刷を行う場合に、プリンタと接続される。また、外部インタフェース部９６６には、必要に応じてドライブが接続され、磁気ディスク、光ディスク等のリムーバブルメディアが適宜装着され、それらから読み出されたコンピュータプログラムが、必要に応じて、インストールされる。さらに、外部インタフェース部９６６は、ＬＡＮやインターネット等の所定のネットワークに接続されるネットワークインタフェースを有する。制御部９７０は、例えば、ユーザインタフェース部９７１からの指示にしたがって、メディアドライブ９６８から符号化データを読み出し、それを外部インタフェース部９６６から、ネットワークを介して接続される他の装置に供給させることができる。また、制御部９７０は、ネットワークを介して他の装置から供給される符号化データや画像データを、外部インタフェース部９６６を介して取得し、それを画像データ処理部９６４に供給したりすることができる。
【０２８８】
メディアドライブ９６８で駆動される記録メディアとしては、例えば、磁気ディスク、光磁気ディスク、光ディスク、または半導体メモリ等の、読み書き可能な任意のリムーバブルメディアが用いられる。また、記録メディアは、リムーバブルメディアとしての種類も任意であり、テープデバイスであってもよいし、ディスクであってもよいし、メモリカードであってもよい。もちろん、非接触IC（Integrated Circuit）カード等であってもよい。
【０２８９】
また、メディアドライブ９６８と記録メディアを一体化し、例えば、内蔵型ハードディスクドライブやＳＳＤ（Solid State Drive）等のように、非可搬性の記憶媒体により構成されるようにしてもよい。
【０２９０】
制御部９７０は、ＣＰＵを用いて構成されている。メモリ部９６７は、制御部９７０により実行されるプログラムや制御部９７０が処理を行う上で必要な各種のデータ等を記憶する。メモリ部９６７に記憶されているプログラムは、撮像装置９６０の起動時などの所定タイミングで制御部９７０により読み出されて実行される。制御部９７０は、プログラムを実行することで、撮像装置９６０がユーザ操作に応じた動作となるように各部を制御する。
【０２９１】
このように構成された撮像装置では、画像データ処理部９６４に本願の符号化装置および復号装置（符号化方法および復号方法）の機能が設けられる。このため、Sign Data Hiding処理を適切に行うことができる。また、Sign Data Hiding処理が適切に行われた符号化ストリームを復号することができる。
【０２９２】
＜スケーラブル符号化の応用例＞
（第１のシステム）
次に、スケーラブル符号化（階層符号化）されたスケーラブル符号化データの具体的な利用例について説明する。スケーラブル符号化は、例えば、図３１に示される例のように、伝送するデータの選択のために利用される。
【０２９３】
図３１に示されるデータ伝送システム１０００において、配信サーバ１００２は、スケーラブル符号化データ記憶部１００１に記憶されているスケーラブル符号化データを読み出し、ネットワーク１００３を介して、パーソナルコンピュータ１００４、AV機器１００５、タブレットデバイス１００６、および携帯電話機１００７等の端末装置に配信する。
【０２９４】
その際、配信サーバ１００２は、端末装置の能力や通信環境等に応じて、適切な品質の符号化データを選択して伝送する。配信サーバ１００２が不要に高品質なデータを伝送しても、端末装置において高画質な画像を得られるとは限らず、遅延やオーバーフローの発生要因となる恐れがある。また、不要に通信帯域を占有したり、端末装置の負荷を不要に増大させたりしてしまう恐れもある。逆に、配信サーバ１００２が不要に低品質なデータを伝送しても、端末装置において十分な画質の画像を得ることができない恐れがある。そのため、配信サーバ１００２は、スケーラブル符号化データ記憶部１００１に記憶されているスケーラブル符号化データを、適宜、端末装置の能力や通信環境等に対して適切な品質の符号化データとして読み出し、伝送する。
【０２９５】
例えば、スケーラブル符号化データ記憶部１００１は、スケーラブルに符号化されたスケーラブル符号化データ（BL+EL）１０１１を記憶するとする。このスケーラブル符号化データ（BL+EL）１０１１は、ベースレイヤとエンハンスメントレイヤの両方を含む符号化データであり、復号することにより、ベースレイヤの画像およびエンハンスメントレイヤの画像の両方を得ることができるデータである。
【０２９６】
配信サーバ１００２は、データを伝送する端末装置の能力や通信環境等に応じて、適切なレイヤを選択し、そのレイヤのデータを読み出す。例えば、配信サーバ１００２は、処理能力の高いパーソナルコンピュータ１００４やタブレットデバイス１００６に対しては、高品質なスケーラブル符号化データ（BL+EL）１０１１をスケーラブル符号化データ記憶部１００１から読み出し、そのまま伝送する。これに対して、例えば、配信サーバ１００２は、処理能力の低いAV機器１００５や携帯電話機１００７に対しては、スケーラブル符号化データ（BL+EL）１０１１からベースレイヤのデータを抽出し、スケーラブル符号化データ（BL+EL）１０１１と同じコンテンツのデータであるが、スケーラブル符号化データ（BL+EL）１０１１よりも低品質なスケーラブル符号化データ（BL）１０１２として伝送する。
【０２９７】
このようにスケーラブル符号化データを用いることにより、データ量を容易に調整することができるので、遅延やオーバーフローの発生を抑制したり、端末装置や通信媒体の負荷の不要な増大を抑制したりすることができる。また、スケーラブル符号化データ（BL+EL）１０１１は、レイヤ間の冗長性が低減されているので、各レイヤの符号化データを個別のデータとする場合よりもそのデータ量を低減させることができる。したがって、スケーラブル符号化データ記憶部１００１の記憶領域をより効率よく使用することができる。
【０２９８】
なお、パーソナルコンピュータ１００４乃至携帯電話機１００７のように、端末装置には様々な装置を適用することができるので、端末装置のハードウエアの性能は、装置によって異なる。また、端末装置が実行するアプリケーションも様々であるので、そのソフトウエアの能力も様々である。さらに、通信媒体となるネットワーク１００３も、例えばインターネットやLAN（Local Area Network）等、有線若しくは無線、またはその両方を含むあらゆる通信回線網を適用することができ、そのデータ伝送能力は様々である。さらに、他の通信等によっても変化する恐れがある。
【０２９９】
そこで、配信サーバ１００２は、データ伝送を開始する前に、データの伝送先となる端末装置と通信を行い、端末装置のハードウエア性能や、端末装置が実行するアプリケーション（ソフトウエア）の性能等といった端末装置の能力に関する情報、並びに、ネットワーク１００３の利用可能帯域幅等の通信環境に関する情報を得るようにしてもよい。そして、配信サーバ１００２が、ここで得た情報を基に、適切なレイヤを選択するようにしてもよい。
【０３００】
なお、レイヤの抽出は、端末装置において行うようにしてもよい。例えば、パーソナルコンピュータ１００４が、伝送されたスケーラブル符号化データ（BL+EL）１０１１を復号し、ベースレイヤの画像を表示しても良いし、エンハンスメントレイヤの画像を表示しても良い。また、例えば、パーソナルコンピュータ１００４が、伝送されたスケーラブル符号化データ（BL+EL）１０１１から、ベースレイヤのスケーラブル符号化データ（BL）１０１２を抽出し、記憶したり、他の装置に転送したり、復号してベースレイヤの画像を表示したりするようにしてもよい。
【０３０１】
もちろん、スケーラブル符号化データ記憶部１００１、配信サーバ１００２、ネットワーク１００３、および端末装置の数はいずれも任意である。また、以上においては、配信サーバ１００２がデータを端末装置に伝送する例について説明したが、利用例はこれに限定されない。データ伝送システム１０００は、スケーラブル符号化された符号化データを端末装置に伝送する際、端末装置の能力や通信環境等に応じて、適切なレイヤを選択して伝送するシステムであれば、任意のシステムに適用することができる。
【０３０２】
（第２のシステム）
また、スケーラブル符号化は、例えば、図３２に示される例のように、複数の通信媒体を介する伝送のために利用される。
【０３０３】
図３２に示されるデータ伝送システム１１００において、放送局１１０１は、地上波放送１１１１により、ベースレイヤのスケーラブル符号化データ（BL）１１２１を伝送する。また、放送局１１０１は、有線若しくは無線またはその両方の通信網よりなる任意のネットワーク１１１２を介して、エンハンスメントレイヤのスケーラブル符号化データ（EL）１１２２を伝送する（例えばパケット化して伝送する）。
【０３０４】
端末装置１１０２は、放送局１１０１が放送する地上波放送１１１１の受信機能を有し、この地上波放送１１１１を介して伝送されるベースレイヤのスケーラブル符号化データ（BL）１１２１を受け取る。また、端末装置１１０２は、ネットワーク１１１２を介した通信を行う通信機能をさらに有し、このネットワーク１１１２を介して伝送されるエンハンスメントレイヤのスケーラブル符号化データ（EL）１１２２を受け取る。
【０３０５】
端末装置１１０２は、例えばユーザ指示等に応じて、地上波放送１１１１を介して取得したベースレイヤのスケーラブル符号化データ（BL）１１２１を、復号してベースレイヤの画像を得たり、記憶したり、他の装置に伝送したりする。
【０３０６】
また、端末装置１１０２は、例えばユーザ指示等に応じて、地上波放送１１１１を介して取得したベースレイヤのスケーラブル符号化データ（BL）１１２１と、ネットワーク１１１２を介して取得したエンハンスメントレイヤのスケーラブル符号化データ（EL）１１２２とを合成して、スケーラブル符号化データ（BL+EL）を得たり、それを復号してエンハンスメントレイヤの画像を得たり、記憶したり、他の装置に伝送したりする。
【０３０７】
以上のように、スケーラブル符号化データは、例えばレイヤ毎に異なる通信媒体を介して伝送させることができる。したがって、負荷を分散させることができ、遅延やオーバーフローの発生を抑制することができる。
【０３０８】
また、状況に応じて、伝送に使用する通信媒体を、レイヤ毎に選択することができるようにしてもよい。例えば、データ量が比較的多いベースレイヤのスケーラブル符号化データ（BL）１１２１を帯域幅の広い通信媒体を介して伝送させ、データ量が比較的少ないエンハンスメントレイヤのスケーラブル符号化データ（EL）１１２２を帯域幅の狭い通信媒体を介して伝送させるようにしてもよい。また、例えば、エンハンスメントレイヤのスケーラブル符号化データ（EL）１１２２を伝送する通信媒体を、ネットワーク１１１２とするか、地上波放送１１１１とするかを、ネットワーク１１１２の利用可能帯域幅に応じて切り替えるようにしてもよい。もちろん、任意のレイヤのデータについて同様である。
【０３０９】
このように制御することにより、データ伝送における負荷の増大を、より抑制することができる。
【０３１０】
もちろん、レイヤ数は任意であり、伝送に利用する通信媒体の数も任意である。また、データ配信先となる端末装置１１０２の数も任意である。さらに、以上においては、放送局１１０１からの放送を例に説明したが、利用例はこれに限定されない。データ伝送システム１１００は、スケーラブル符号化された符号化データを、レイヤを単位として複数に分割し、複数の回線を介して伝送するシステムであれば、任意のシステムに適用することができる。
【０３１１】
（第３のシステム）
また、スケーラブル符号化は、例えば、図３３に示される例のように、符号化データの記憶に利用される。
【０３１２】
図３３に示される撮像システム１２００において、撮像装置１２０１は、被写体１２１１を撮像して得られた画像データをスケーラブル符号化し、スケーラブル符号化データ（BL+EL）１２２１として、スケーラブル符号化データ記憶装置１２０２に供給する。
【０３１３】
スケーラブル符号化データ記憶装置１２０２は、撮像装置１２０１から供給されるスケーラブル符号化データ（BL+EL）１２２１を、状況に応じた品質で記憶する。例えば、通常時の場合、スケーラブル符号化データ記憶装置１２０２は、スケーラブル符号化データ（BL+EL）１２２１からベースレイヤのデータを抽出し、低品質でデータ量の少ないベースレイヤのスケーラブル符号化データ（BL）１２２２として記憶する。これに対して、例えば、注目時の場合、スケーラブル符号化データ記憶装置１２０２は、高品質でデータ量の多いスケーラブル符号化データ（BL+EL）１２２１のまま記憶する。
【０３１４】
このようにすることにより、スケーラブル符号化データ記憶装置１２０２は、必要な場合のみ、画像を高画質に保存することができるので、画質劣化による画像の価値の低減を抑制しながら、データ量の増大を抑制することができ、記憶領域の利用効率を向上させることができる。
【０３１５】
例えば、撮像装置１２０１が監視カメラであるとする。撮像画像に監視対象（例えば侵入者）が写っていない場合（通常時の場合）、撮像画像の内容は重要でない可能性が高いので、データ量の低減が優先され、その画像データ（スケーラブル符号化データ）は、低品質に記憶される。これに対して、撮像画像に監視対象が被写体１２１１として写っている場合（注目時の場合）、その撮像画像の内容は重要である可能性が高いので、画質が優先され、その画像データ（スケーラブル符号化データ）は、高品質に記憶される。
【０３１６】
なお、通常時であるか注目時であるかは、例えば、スケーラブル符号化データ記憶装置１２０２が、画像を解析することにより判定しても良い。また、撮像装置１２０１が判定し、その判定結果をスケーラブル符号化データ記憶装置１２０２に伝送するようにしてもよい。
【０３１７】
なお、通常時であるか注目時であるかの判定基準は任意であり、判定基準とする画像の内容は任意である。もちろん、画像の内容以外の条件を判定基準とすることもできる。例えば、収録した音声の大きさや波形等に応じて切り替えるようにしてもよいし、所定の時間毎に切り替えるようにしてもよいし、ユーザ指示等の外部からの指示によって切り替えるようにしてもよい。
【０３１８】
また、以上においては、通常時と注目時の２つの状態を切り替える例を説明したが、状態の数は任意であり、例えば、通常時、やや注目時、注目時、非常に注目時等のように、３つ以上の状態を切り替えるようにしてもよい。ただし、この切り替える状態の上限数は、スケーラブル符号化データのレイヤ数に依存する。
【０３１９】
また、撮像装置１２０１が、スケーラブル符号化のレイヤ数を、状態に応じて決定するようにしてもよい。例えば、通常時の場合、撮像装置１２０１が、低品質でデータ量の少ないベースレイヤのスケーラブル符号化データ（BL）１２２２を生成し、スケーラブル符号化データ記憶装置１２０２に供給するようにしてもよい。また、例えば、注目時の場合、撮像装置１２０１が、高品質でデータ量の多いベースレイヤのスケーラブル符号化データ（BL+EL）１２２１を生成し、スケーラブル符号化データ記憶装置１２０２に供給するようにしてもよい。
【０３２０】
以上においては、監視カメラを例に説明したが、この撮像システム１２００の用途は任意であり、監視カメラに限定されない。
【０３２１】
本発明は、MPEG，H.26x等のように、離散コサイン変換等の直交変換と動き補償によって圧縮された画像情報（ビットストリーム）を、衛星放送、ケーブルＴＶ、インターネット、携帯電話などのネットワークメディアを介して送受信する際に、若しくは光、磁気ディスク、フラッシュメモリのような記憶メディア上で処理する際に用いられる装置に適用することができる。
【０３２２】
また、本発明における符号化方式は、HEVC方式以外の、Sign Data Hidingを用いた符号化方式であってもよい。
【０３２３】
なお、本技術の実施の形態は、上述した実施の形態に限定されるものではなく、本技術の要旨を逸脱しない範囲において種々の変更が可能である。
【０３２４】
例えば、符号化装置１０は、各量子化パラメータと非０直交変換係数の絶対値の和の閾値とを対応付けるテーブルをSPS等に含めて伝送するようにしてもよい。この場合、復号装置１１０の符号ハイディング復号部１３５は、テーブルを参照して、符号化情報に含まれる量子化パラメータに対応する閾値を設定する。
【０３２５】
なお、この場合、符号化装置１０は、とり得る全ての量子化パラメータと閾値とを対応付けたテーブルを伝送するのではなく、所定の間隔ごとの量子化パラメータ（例えば、5おきの量子化パラメータ）と閾値とを対応付けたテーブルを伝送するようにしてもよい。この場合、符号ハイディング復号部１３５は、必要に応じて、テーブル内の閾値に対して所定の線形内挿を行うことにより、符号化情報に含まれる量子化パラメータに対応する閾値を設定する。
【０３２６】
また、HEVC規格では、4x4画素の輝度および色差のTUにおいて直交変換処理をスキップするIntra Transform Skippingという技術がある。この技術の詳細は、JCTVC-I0408に記載されているので説明は省略する。Intra Transform Skippingにより直交変換処理がスキップされると、直交変換部３４から出力される情報（残差情報）は、周波数領域の情報ではなく、画素領域の情報となる。従って、このような情報が操作されると、処理ブロック内に非連続な画素が発生し、復号画像においてノイズとして観測される可能性がある。従って、符号化装置１０は、Intra Transform Skippingを行う場合、Sign Data Hidingを行わない。
【０３２７】
この場合、符号化装置１０は、Intra Transform Skippingを行うことが可能であるかどうかを示すフラグをSPSに含めて伝送する。このフラグは、例えば、Intra Transform Skippingを行うことが可能である場合1であり、Intra Transform Skippingを行うことが可能ではない場合0である。また、符号化装置１０は、TUごとに、直交変換処理をスキップするかどうかを表すフラグを伝送する。
【０３２８】
従って、復号装置１１０は、符号化装置１０から伝送されてくる直交変換処理をスキップするかどうかを表すフラグに基づいて、付加処理を行うかどうかを判定する。
【０３２９】
また、符号化装置１０は、イントラ適用情報とインター適用情報を伝送するのではなく、予測モードによらず共通の、Sign Data Hiding処理（に対応する付加処理）を行うかを表す適用情報を伝送するようにしてもよい。この場合、適用情報がSign Data Hiding処理を行うことを表すとき、最適予測モードがインター予測モードであるときにのみ、符号化装置１０はSign Data Hiding処理を行い、復号装置１１０は付加処理を行う。
【０３３０】
さらに、符号化装置１０は、イントラ適用情報とインター適用情報を伝送せず、最適予測モードがインター予測モードであるときにのみ、符号化装置１０はSign Data Hiding処理を行い、復号装置１１０は付加処理を行うようにしてもよい。
【０３３１】
また、閾値は、最適予測モードがイントラ予測モードであるか、インター予測モードであるかに応じて変更されるようにしてもよい。
【０３３２】
なお、本技術は、以下のような構成もとることができる。
【０３３３】
（１）
符号化対象の画像と予測画像の差分を直交変換し、直交変換係数を生成する直交変換部と、
前記直交変換部により生成される前記直交変換係数のうちの非０直交変換係数の絶対値の和に基づいて、前記直交変換係数に対して、先頭の前記非０直交変換係数の符号を削除し、前記非０直交変換係数の絶対値の和のパリティが前記符号に対応するパリティとなるように、前記非０直交変換係数を補正するSign Data Hiding処理を行う係数操作部と
を備える符号化装置。
（２）
前記係数操作部により前記Sign Data Hiding処理が行われた前記直交変換係数に対して、量子化パラメータを用いて量子化を行う量子化部と、
前記係数操作部において用いられる閾値を、前記量子化パラメータに基づいて設定する設定部と
をさらに備え、
前記係数操作部は、前記非０直交変換係数の絶対値の和が、前記設定部により設定された前記閾値より大きい場合、前記Sign Data Hiding処理を行う
前記（１）に記載の符号化装置。
（３）
各量子化パラメータに対応する前記閾値を伝送する伝送部
をさらに備える
前記（２）に記載の符号化装置。
（４）
前記係数操作部は、前記予測画像の予測モードに基づいて、前記Sign Data Hiding処理を行う
前記（１）乃至（３）のいずれかに記載の符号化装置。
（５）
前記係数操作部は、前記予測画像の予測モードがインター予測モードである場合、前記Sign Data Hiding処理を行う
前記（４）に記載の符号化装置。
（６）
前記予測画像の予測モードがインター予測モードである場合、前記係数操作部が前記非０直交変換係数の絶対値の和に基づいて前記Sign Data Hiding処理を行うかを表すインター適用情報と、前記予測画像の予測モードがイントラ予測モードである場合、前記係数操作部が前記非０直交変換係数の絶対値の和に基づいて前記Sign Data Hiding処理を行うかを表すイントラ適用情報とを伝送する伝送部
をさらに備える
前記（４）に記載の符号化装置。
（７）
前記直交変換部は、前記差分を直交変換して前記直交変換係数を生成するか、または、前記差分を直交変換せずにそのまま出力し、
前記係数操作部は、前記直交変換部により前記差分が直交変換された場合、前記非０直交変換係数の絶対値の和に基づいて、前記直交変換係数に対して前記Sign Data Hiding処理を行う
前記（１）乃至（６）のいずれかに記載の符号化装置。
（８）
前記係数操作部が前記非０直交変換係数の絶対値の和に基づいて前記Sign Data Hiding処理を行うかを表す適用情報を伝送する伝送部
をさらに備える
前記（１）乃至（５）のいずれかに記載の符号化装置。
（９）
前記係数操作部は、前記直交変換時のスキャン単位で前記非０直交変換係数の絶対値の和に基づいて前記Sign Data Hiding処理を行う
前記（１）乃至（８）のいずれかに記載の符号化装置。
（１０）
符号化装置が、
符号化対象の画像と予測画像の差分を直交変換し、直交変換係数を生成する直交変換ステップと、
前記直交変換ステップの処理により生成される前記直交変換係数のうちの非０直交変換係数の絶対値の和に基づいて、前記直交変換係数に対して、先頭の前記非０直交変換係数の符号を削除し、前記非０直交変換係数の絶対値の和のパリティが前記符号に対応するパリティとなるように、前記非０直交変換係数を補正するSign Data Hiding処理を行う係数操作ステップと
を含む符号化方法。
（１１）
復号対象の画像と予測画像の差分の直交変換係数のうちの非０直交変換係数の絶対値の和に基づいて、前記直交変換係数に対して、前記非０直交変換係数の絶対値の和のパリティに対応する符号を、先頭の前記非０直交変換係数の符号として付加する付加処理を行う符号復号化部と、
前記符号復号化部により前記付加処理が行われた前記直交変換係数を逆直交変換する逆直交変換部と
を備える復号装置。
（１２）
量子化パラメータを用いて量子化された前記直交変換係数に対して、前記量子化パラメータを用いて逆量子化を行う逆量子化部と、
前記符号復号化部において用いられる閾値を、前記量子化パラメータに基づいて設定する設定部と
をさらに備え、
前記符号復号化部は、前記逆量子化部により逆量子化された前記直交変換係数のうちの前記非０直交変換係数の絶対値の和が、前記設定部により設定された前記閾値より大きい場合、前記付加処理を行う
前記（１１）に記載の復号装置。
（１３）
各量子化パラメータに対応する前記閾値を受け取る受け取り部
をさらに備え、
前記設定部は、前記受け取り部により受け取られた前記閾値のうちの、前記逆量子化部により用いられた前記量子化パラメータに対応する閾値を設定する
前記（１２）に記載の復号装置。
（１４）
前記符号復号化部は、前記予測画像の予測モードに基づいて、前記付加処理を行う
前記（１１）乃至（１３）のいずれかに記載の復号装置。
（１５）
前記符号復号化部は、前記予測画像の予測モードがインター予測モードである場合、前記付加処理を行う
前記（１４）に記載の復号装置。
（１６）
前記予測画像の予測モードがインター予測モードである場合、前記非０直交変換係数の絶対値の和に基づいて前記付加処理を行うかを表すインター適用情報と、前記予測画像の予測モードがイントラ予測モードである場合、前記非０直交変換係数の絶対値の和に基づいて前記付加処理を行うかを表すイントラ適用情報とを受け取る受け取り部と、
前記符号復号化部は、前記インター適用情報と前記イントラ適用情報に基づいて前記付加処理を行う
前記（１４）に記載の復号装置。
（１７）
前記直交変換係数または前記差分を受け取る受け取り部
をさらに備え、
前記符号復号化部は、前記受け取り部により前記直交変換係数が受け取られた場合、前記非０直交変換係数の絶対値の和に基づいて、前記直交変換係数に対して前記付加処理を行う
前記（１１）乃至（１６）のいずれかに記載の復号装置。
（１８）
前記非０直交変換係数の絶対値の和に基づいて前記付加処理を行うかを表す適用情報を受け取る受け取り部
をさらに備え、
前記符号復号化部は、前記受け取り部により受け取られた前記適用情報に基づいて、前記付加処理を行う
前記（１１）乃至（１５）のいずれかに記載の復号装置。
（１９）
前記符号復号化部は、前記直交変換時のスキャン単位で前記非０直交変換係数の絶対値の和に基づいて前記付加処理を行う
前記（１１）乃至（１８）のいずれかに記載の復号装置。
（２０）
復号装置が、
復号対象の画像と予測画像の差分の直交変換係数のうちの非０直交変換係数の絶対値の和に基づいて、前記直交変換係数に対して、前記非０直交変換係数の絶対値の和のパリティに対応する符号を、先頭の前記非０直交変換係数の符号として付加する付加処理を行う符号復号化ステップと、
前記符号復号化ステップの処理により前記付加処理が行われた前記直交変換係数を逆直交変換する逆直交変換ステップと
を含む復号方法。
【符号の説明】
【０３３４】
１０  符号化装置,  １３  伝送部，  ３４  直交変換部,  ３６  量子化部，  ３９  逆量子化部，  ４０  逆直交変換部，  ４１  符号ハイディング復号部，  ７３  閾値設定部，  ７５  係数操作部，  ９３  閾値設定部，  ９５  符号復号化部，  １１０  復号装置，  １１１  受け取り部，  １３３  逆量子化部，  １３４  逆直交変換部
【図１】
2014002896.tif 000003
【図２】
2014002896.tif 000004
【図３】
2014002896.tif 000005
【図４】
2014002896.tif 000006
【図５】
2014002896.tif 000007
【図６】
2014002896.tif 000008
【図７】
2014002896.tif 000009
【図８】
2014002896.tif 000010
【図９】
2014002896.tif 000011
【図１０】
2014002896.tif 000012
【図１１】
2014002896.tif 000013
【図１２】
2014002896.tif 000014
【図１３】
2014002896.tif 000015
【図１４】
2014002896.tif 000016
【図１５】
2014002896.tif 000017
【図１６】
2014002896.tif 000018
【図１７】
2014002896.tif 000019
【図１８】
2014002896.tif 000020
【図１９】
2014002896.tif 000021
【図２０】
2014002896.tif 000022
【図２１】
2014002896.tif 000023
【図２２】
2014002896.tif 000024
【図２３】
2014002896.tif 000025
【図２４】
2014002896.tif 000026
【図２５】
2014002896.tif 000027
【図２６】
2014002896.tif 000028
【図２７】
2014002896.tif 000029
【図２８】
2014002896.tif 000030
【図２９】
2014002896.tif 000031
【図３０】
2014002896.tif 000032
【図３１】
2014002896.tif 000033
【図３２】
2014002896.tif 000034
【図３３】
2014002896.tif 000035
【国際調査報告】
2014002896.tif 000036
2014002896.tif 000037